(57)【要約】【課題】長期間の保存後に多数のラックの中から効率よく特定の容器を取り出す。【解決手段】本発明に係るシステムは、各々の容器およびラックに無線タグを貼付し、各々の容器およびラックに、それぞれ一意的な個別情報を付与しておく。本システムは、（1）ラック内での容器の格納位置情報を自動的に取得する機能を有する容器情報読取り装置、（2）ラックの個別情報、ラックに格納された容器の個別情報および容器のラック内部での格納位置情報、ラックを保管するラック保管棚の位置情報等の各情報を紐づけて登録するデータベースサーバ、（3）容器の登録、検索、移動、抹消等の作業を行うための管理ＰＣ、（4）保管されたラックの個別情報を自動的に検出するラック保管棚から構成され、それぞれIPネットワークを介して接続された状態で使用される。【選択図】図１
2014190864.tif 000002
【特許請求の範囲】
【請求項１】
それぞれ容器識別情報を発する無線タグが貼付される複数の容器と、
前記複数の容器を格納するように区分された複数の格納領域を有するラックと、
前記複数の容器それぞれに割り当てられる容器識別情報を登録し、前記容器識別情報に前記容器に関する個別情報を紐づけて登録することでデータベースを構築するサーバと、
前記ラックに対する前記容器の出し入れに際して、前記無線タグから前記容器識別情報を取得する容器識別情報取得手段と、
前記ラックに対する前記容器の出し入れに際して、前記出し入れされた格納領域の容器位置情報を取得する位置情報取得手段と、
前記データベースから前記容器識別情報取得手段で取得される前記容器識別情報を検索し、検索された容器識別情報に紐付けするように前記位置情報取得手段で取得される容器位置情報を前記データベースに登録する登録手段と
を具備する容器管理システム。
【請求項２】
さらに、前記ラック毎に装備され、ラック識別情報を提示するラック識別情報提示手段と、
前記ラックに対する前記容器の出し入れに際して前記ラック識別情報を取得するラック識別情報取得手段を備え、
前記登録手段は、前記ラック識別情報取得手段で取得される前記ラック識別情報を前記容器位置情報と共に前記容器識別情報に紐付けするように前記データベースに登録する請求項１記載の容器管理システム。
【請求項３】
前記ラック識別情報取得手段は、前記複数のラックに前記ラック識別情報を発する無線タグを貼付しておき、前記容器識別情報取得手段による前記容器識別情報の読み出し時に、前記ラックに貼付される無線タグから前記ラック識別情報を読み出す請求項２記載の容器管理システム。
【請求項４】
さらに、前記複数のラックが配列される複数の保管区域を備え、前記複数の保管区域それぞれには予め割り当てられる区域情報を提示する区域情報提示手段を備える保管棚と、
前記保管棚に対する前記ラックの出し入れに際して、当該ラックのラック識別情報と出し入れされた保管区域の区域情報とを、保管管理情報として取得する保管管理情報取得手段を備え、
前記登録手段は、前記保管管理情報の取得時に、前記データベースから当該保管管理情報中のラック識別情報を検索し、検索されたラック識別情報に前記保管管理情報中の区域情報を紐付けして前記容器識別情報に紐付けされた個別情報及び容器位置情報と共に前記データベースに登録する請求項２記載の容器管理システム。
【請求項５】
前記登録手段は、前記容器を前記ラックに入れるときは前記容器識別情報に前記位置情報を紐付けするように新規登録し、前記容器を前記ラックから出すときは前記容器識別情報に紐付けされる容器位置情報を抹消登録し、前記容器を前記ラックから取り出して他の位置に入れるときは前記容器識別情報に紐付けされる位置情報を更新登録する請求項１記載の容器管理システム。
【請求項６】
前記登録手段は、前記ラックを前記保管棚の保管区域に配置するときは前記容器識別情報に紐付けされる容器の個別情報及び容器位置情報と前記ラック識別情報に区域情報を紐付けするように新規登録し、前記ラックを前記保管棚の保管区域から取り出すときは前記ラック識別情報に紐付けされる区域情報を抹消登録し、前記ラックを前記保管棚から取り出して他の位置に入れるときは前記ラック識別情報に紐付けされる前記区域情報を更新登録する請求項４記載の容器管理システム。
【請求項７】
それぞれ容器識別情報を発する無線タグが貼付される複数の容器と、
前記複数の容器を格納するように区分された複数の格納領域を有するラックと、
前記複数の容器それぞれに割り当てられる容器識別情報を登録し、前記容器識別情報に容器に関する個別情報を紐づけて登録することでデータベースを構築するサーバとを備える容器管理システムに用いられ、
前記ラックに対する前記容器の出し入れに際して、前記無線タグから前記容器識別情報を取得する容器識別情報取得手段と、
前記ラックに対する前記容器の出し入れに際して、前記出し入れされた格納領域の容器位置情報を取得する位置情報取得手段と、
前記データベースから前記容器識別情報取得手段で取得される前記容器識別情報を検索し、検索された容器識別情報に紐付けするように前記位置情報取得手段で取得される容器位置情報を前記データベースに登録する登録手段と
を具備する容器管理システムの容器情報読取り装置。
【請求項８】
それぞれ容器識別情報を発する無線タグが貼付される複数の容器と、
前記複数の容器を格納するように区分された複数の格納領域を有する複数のラックと、
前記複数のラックが配列される複数の保管区域を備え、前記複数の保管区域それぞれには予め割り当てられる区域情報を提示する区域情報提示手段を備える保管棚と、
前記複数の容器それぞれに割り当てられる容器識別情報を登録し、前記容器識別情報に前記容器に関する個別情報を紐づけて登録することでデータベースを構築するサーバと、
前記ラックに対する前記容器の出し入れに際して、前記無線タグから前記容器識別情報を取得し、前記ラックに対する前記容器の出し入れに際して、前記出し入れされた格納領域の容器位置情報を取得し、前記データベースから前記容器識別情報を検索し、検索された容器識別情報に紐付けするように前記容器位置情報を前記データベースに登録する容器情報登録手段と
を具備する容器管理システムに用いられ、
前記保管棚に対する前記ラックの出し入れに際して、当該ラックのラック識別情報と出し入れされた保管区域の区域情報とを、保管管理情報として取得する保管管理情報取得手段と、
前記保管管理情報の取得時に、前記データベースから当該保管管理情報中のラック識別情報を検索し、検索されたラック識別情報に前記保管管理情報中の区域情報を紐付けして前記容器識別情報に紐付けされた個別情報及び容器位置情報と共に前記データベースに登録するラック情報登録手段と
を具備する容器管理システムのラック情報読取り装置。
【発明の詳細な説明】
【技術分野】
【０００１】
本発明は、ラックに出し入れされる多数の容器を管理し、容器格納ラックを保管棚に配置した際の各容器の場所を管理する容器管理システムと、このシステムに用いられる容器情報読取り装置及びラック情報読取り装置に関する。
【背景技術】
【０００２】
従来より、多数の容器をラックに格納する際に、ラック内の容器それぞれの個別情報を一括管理することのできる容器管理システムが提案されている。この容器管理システムは、ラックに格納される各容器にそれぞれ容器の個別情報が登録された無線タグを貼付しておき、ラックに格納された容器の無線タグからタグ情報を読み出し登録することで、ラックに格納される容器の個別情報を一元管理することが可能となされている。
【０００３】
現在、無線タグとして利用されるRF-ID（Radio Frequency Identification）タグには、用途に応じて、13.56MHz帯、2.45GHz帯、及びUHF帯（920MHz帯）といった製品が用意されており、それぞれの周波数帯のRF-IDは、利用目的に応じて各々使い分けられている。
【０００４】
これらの無線タグのうちUHF帯周波数を使用したものは、複数密集して並べられた無線タグを電磁波により全数読み取る技術が提案されている。上記容器管理装置は、これらの技術を用いて、水分を格納した容器に貼付された無線タグを、ラックに複数密集した状態で一括読取り可能としたものである。
【０００５】
しかしながら、上記の技術を利用した容器管理システムでは、ラック内部に格納されている容器の本数とその個別情報のみしか管理しておらず、指定の容器がラック内部の何行何列目に格納されているのかといった位置情報の管理までは行われていない。また、ラック本体を保管する保管棚の場所についても管理されていない。このような管理体制では目的の容器を見つけるのに時間がかかる。
【０００６】
例えば医療分野において、多数の検体をそれぞれ容器に入れて複数のラックに格納し、各ラックを冷凍庫内の保管棚に設置して冷凍保存するような場合では、冷凍庫内のどこに目的の容器があるのかを探し出すことは極めて煩雑な作業となる。現在、医療に用いられる検体の保存管理は、バーコードが貼付された試験管（真空採血管、ピッツ、検体管とも言う）をラックに収納し、それを冷凍庫内の保管棚に保管する。この時、試験管を格納したラックや、そのラックが保管されている冷凍庫の設置場所の情報は、体系的に登録、管理されていない。このような管理では、数年から数十年の期間保存した後で特定の検体を探し出すときには、多大な工数が発生してしまう。
【先行技術文献】
【特許文献】
【０００７】
【特許文献１】特許第4727404号公報
【特許文献２】特開2008-071071号公報
【特許文献３】PCT/JP2010/056717号
【非特許文献】
【０００８】
【非特許文献１】「データ書き込みができる試験管」小型RFIDチップを使った検体チューブ（試験管）管理システムを開発（ニュ−スリリース2006年07月），インターネット＜http://www.maxei.co.jp/news/pdf/060714Jpn.pdf＞
【非特許文献２】「液体の影響を受けにくいUHF帯RFIDタグ技術」（ニュ−スリリース2010年02月01日），インターネット＜http://jp.fujitsu.com/journal/strength/technologies/201002.html＞
【発明の概要】
【発明が解決しようとする課題】
【０００９】
以上述べたように、従来の容器管理システムでは、複数の容器をラックに格納して保存する場合、ラック内での容器の格納位置情報が管理されていないため、大量の容器が格納されている場合には、目的の容器を素早く見つけて特定することは甚だ困難である。また、ラックを保存棚に配置する場合も、どのラックをどこに配置したのかを記録していない場合が多い。そのため、数年から数十年を経過した後で、特定の容器を保管棚から取り出す必要が生じたような場合には、目的の容器を格納したラックの保管場所を特定し、さらにそのラックの中から目的の容器を見つけ出す作業に、多大な労力がかかっている。
【００１０】
従来の運用方法でも、容器をラックに格納する際、ラック内の容器位置情報を登録管理することは可能である。しかしその場合、容器に貼付されたバーコードをバーコードリーダーで個々に読取り、ラックに入れた後、それぞれの容器を格納したラック内の位置情報（行列情報、位置番号情報）を手作業で登録する必要がある。このように、作業が繁雑で時間がかかり、登録時のミスも発生する可能性があるため、実際には行われていないのが現状である。ラックをどの保管棚に保管したのかといった情報も、同様に手作業で登録すればよいが、これも作業が繁雑となり時間がかかるため、実際には行われていない。
【００１１】
この発明は上記事情に着目してなされたもので、その目的とするところは、第１に、ラック内での容器の格納位置情報を自動的に取得してサーバのデータベースに登録することができ、これによって作業の簡素化と効率化を図り、登録時の誤りを減少させることのできる容器管理システムを提供することにある。
【００１２】
第２に、ラックを保管棚に配置する際に、自動的にラック管理情報をサーバのデータベースに登録し、ラック内の容器管理情報と合わせて管理することのできる容器管理システムを提供することにある。
【課題を解決するための手段】
【００１３】
上記の課題を解決するため、本発明に係る容器管理システムは、以下の態様で構成される。  
（１）それぞれ容器識別情報を発する無線タグが貼付される複数の容器と、前記複数の容器を格納するように区分された複数の格納領域を有するラックと、前記複数の容器それぞれに割り当てられる容器識別情報を登録し、前記容器識別情報に前記容器に関する個別情報を紐づけて登録することでデータベースを構築するサーバと、前記ラックに対する前記容器の出し入れに際して、前記無線タグから前記容器識別情報を取得する容器識別情報取得手段と、前記ラックに対する前記容器の出し入れに際して、前記出し入れされた格納領域の容器位置情報を取得する位置情報取得手段と、前記データベースから前記容器識別情報取得手段で取得される前記容器識別情報を検索し、検索された容器識別情報に紐付けするように前記位置情報取得手段で取得される容器位置情報を前記データベースに登録する登録手段とを具備する態様とする。
【００１４】
（２）（１）において、さらに、前記ラック毎に装備され、ラック識別情報を提示するラック識別情報提示手段と、前記ラックに対する前記容器の出し入れに際して前記ラック識別情報を取得するラック識別情報取得手段を備え、前記登録手段は、前記ラック識別情報取得手段で取得される前記ラック識別情報を前記容器位置情報と共に前記容器識別情報に紐付けするように前記データベースに登録する態様とする。
【００１５】
（３）（２）において、前記ラック識別情報取得手段は、前記複数のラックに前記ラック識別情報を発する無線タグを貼付しておき、前記容器識別情報取得手段による前記容器識別情報の読み出し時に、前記ラックに貼付される無線タグから前記ラック識別情報を読み出す態様とする。
【００１６】
（４）（２）において、さらに、前記複数のラックが配列される複数の保管区域を備え、前記複数の保管区域それぞれには予め割り当てられる区域情報を提示する区域情報提示手段を備える保管棚と、前記保管棚に対する前記ラックの出し入れに際して、当該ラックのラック識別情報と出し入れされた保管区域の区域情報とを、保管管理情報として取得する保管管理情報取得手段を備え、前記登録手段は、前記保管管理情報の取得時に、前記データベースから当該保管管理情報中のラック識別情報を検索し、検索されたラック識別情報に前記保管管理情報中の区域情報を紐付けして前記容器識別情報に紐付けされた個別情報及び容器位置情報と共に前記データベースに登録する態様とする。
【００１７】
（５）（１）において、前記登録手段は、前記容器を前記ラックに入れるときは前記容器識別情報に前記位置情報を紐付けするように新規登録し、前記容器を前記ラックから出すときは前記容器識別情報に紐付けされる容器位置情報を抹消登録し、前記容器を前記ラックから取り出して他の位置に入れるときは前記容器識別情報に紐付けされる位置情報を更新登録する態様とする。
【００１８】
（６）（４）において、前記登録手段は、前記ラックを前記保管棚の保管区域に配置するときは前記容器識別情報に紐付けされる容器の個別情報及び容器位置情報と前記ラック識別情報に区域情報を紐付けするように新規登録し、前記ラックを前記保管棚の保管区域から取り出すときは前記ラック識別情報に紐付けされる区域情報を抹消登録し、前記ラックを前記保管棚から取り出して他の位置に入れるときは前記ラック識別情報に紐付けされる前記区域情報を更新登録する態様とする。
【００１９】
また、本発明に係る容器管理システムの容器情報読取り装置は、以下の態様で構成される。  
（７）それぞれ容器識別情報を発する無線タグが貼付される複数の容器と、前記複数の容器を格納するように区分された複数の格納領域を有するラックと、前記複数の容器それぞれに割り当てられる容器識別情報を登録し、前記容器識別情報に容器に関する個別情報を紐づけて登録することでデータベースを構築するサーバとを備える容器管理システムに用いられ、前記ラックに対する前記容器の出し入れに際して、前記無線タグから前記容器識別情報を取得する容器識別情報取得手段と、前記ラックに対する前記容器の出し入れに際して、前記出し入れされた格納領域の容器位置情報を取得する位置情報取得手段と、前記データベースから前記容器識別情報取得手段で取得される前記容器識別情報を検索し、検索された容器識別情報に紐付けするように前記位置情報取得手段で取得される容器位置情報を前記データベースに登録する登録手段とを具備する態様とする。
【００２０】
また、本発明に係る容器管理システムのラック情報読取り装置は、以下の態様で構成される。  
（８）それぞれ容器識別情報を発する無線タグが貼付される複数の容器と、前記複数の容器を格納するように区分された複数の格納領域を有する複数のラックと、前記複数のラックが配列される複数の保管区域を備え、前記複数の保管区域それぞれには予め割り当てられる区域情報を提示する区域情報提示手段を備える保管棚と、前記複数の容器それぞれに割り当てられる容器識別情報を登録し、前記容器識別情報に前記容器に関する個別情報を紐づけて登録することでデータベースを構築するサーバと、前記ラックに対する前記容器の出し入れに際して、前記無線タグから前記容器識別情報を取得し、前記ラックに対する前記容器の出し入れに際して、前記出し入れされた格納領域の容器位置情報を取得し、前記データベースから前記容器識別情報を検索し、検索された容器識別情報に紐付けするように前記容器位置情報を前記データベースに登録する容器情報登録手段とを具備する容器管理システムに用いられ、前記保管棚に対する前記ラックの出し入れに際して、当該ラックのラック識別情報と出し入れされた保管区域の区域情報とを、保管管理情報として取得する保管管理情報取得手段と、記保管管理情報の取得時に、前記データベースから当該保管管理情報中のラック識別情報を検索し、検索されたラック識別情報に前記保管管理情報中の区域情報を紐付けして前記容器識別情報に紐付けされた個別情報及び容器位置情報と共に前記データベースに登録するラック情報登録手段とを具備する態様とする。
【発明の効果】
【００２１】
本発明により上記課題が解決され、以下に示す効果が期待できる。
【００２２】
まず、容器をラックに格納する際、本発明の容器情報読取り装置を使用することにより、容器をラックに格納する作業だけで、各容器のラック内部での格納位置情報をサーバのデータベースに登録することができる。従来方法でこの情報を登録する場合には、容器をラックに格納した後、手作業で格納したラック内部の位置情報を入力する必要があった。これらを自動化することによって、作業効率の向上とミスの減少が図られる。
【００２３】
次に、ラック保管棚に無線タグ読み取りアンテナを搭載し、保管棚に出し入れするラックの固有情報を把握することで、保管棚におけるラックの保管状況を常に自動的に把握することができる。
【００２４】
次に、ラックに格納した容器の検索が容易になる。従来の方法では、容器のラック内部での位置情報や、ラックを保管したラック保管棚の場所の情報が登録されていなかった。そのため、数年から数十年経過した後で、特定の容器を取り出してくる場合には、多大な工数が発生していた。本発明のシステムを用いることで、管理ＰＣ画面上で検索したい容器の個別情報を入力するだけで、ラックが保管されているラック保管棚の場所やラック内部での容器の位置情報を、簡単に取得することができる。
【００２５】
次に、登録、管理されている容器の格納場所の変更や、容器そのものの登録情報の抹消といった一連の管理が、本発明の容器情報読取り装置を使用すると、簡単に行うことができる。格納場所を変更したい容器が収納されているラックを、本発明の容器情報読取り装置にセットする。この状態で格納場所を変更したい容器を取り出し、一回データベースから登録を抹消した後、再度新しい場所へ格納することで、当該容器の格納位置情報を簡単に変更することができる。
【００２６】
以上のことから、本発明によれば、第１に、ラック内での容器の格納位置情報を自動的に取得してサーバのデータベースに登録することができ、これによって作業の簡素化と効率化を図り、登録時の誤りを減少させることのできる容器管理システムを提供することができ、第２に、ラックを保管棚に配置する際に、自動的にラック管理情報をサーバのデータベースに登録し、ラック内の容器管理情報と合わせて管理することのできる容器管理システムを提供することができる。
【図面の簡単な説明】
【００２７】
【図１】本発明に係る容器管理システムの一実施形態を示す全体構成図である。
【図２】図１に示すシステムにおいて、容器情報読取り装置を用いてラックに容器を格納し、そのラックを指定された場所に保管するまでの一連の作業の流れを示す概念図である。
【図３】図１に示すシステムにおいて、容器情報読取り装置を用いて管理ＰＣから特定の容器を検索し、サーバのデータベースの結果に従い、目的の容器を取り出すまでの一連の作業の流れを示す概念図である。
【図４】図１に示すシステムにおいて、ラックとラックに保存された容器の配置を、上面、長辺側面、短辺側面から示す図である。
【図５】図１に示すシステムの容器情報読取り装置の構造を、上面、長辺側面、短辺側面から示す図である。
【図６】図１に示すシステムの容器情報読取り装置に容器を格納したラックを搭載した場合を、上面、長辺側面、短辺側面から示す図である。
【図７】図１に示すシステムの容器読取情報り装置で、容器登録口を有するブリッジを固定させ、ラックを移動させる方式を示す上面図である。
【図８】図１に示すシステムの容器情報読取り装置で、容器登録口を有するブリッジが可動式である場合、容器登録口を有するブリッジが可動式で、かつ装置上部に電磁波遮蔽カバーを設けた場合の装置外観図と、容器情報読取り装置の上部に取り付ける電磁波遮蔽カバーの一構成例を示す図である。
【図９】図１に示すシステムの容器情報読取り装置で、容器登録口を有するブリッジが固定式である場合の、装置外観図、装置上面と、容器情報読取り装置の上部に取り付ける電磁波遮蔽カバーの一構成例を示す図である。
【図１０】図１に示すシステムの容器情報読取り装置に搭載された可動式ブリッジの容器登録口の断面図で、容器を挿入する前の状態、容器挿入中の状態、容器挿入後の状態、容器挿入後、無線タグ読み取り電磁波を照射している状況を示す図である。
【図１１】図１に示すシステムの容器情報読取り装置の、容器位置検出方法を等価回路にて示す図である。
【図１２】図１に示すシステムの容器情報読取り装置に搭載された可動式ブリッジの容器登録口の別実施形態の断面図であり、容器を容器登録口にセットした状態、容器が容器登録口を通過している状態、容器が容器登録口を通過終わった状態を示す図である。
【図１３】図１に示すシステムの容器情報読取り装置に搭載された可動式ブリッジの容器登録口に、行数分の数の容器をセットした状態、1行目にセットした容器が容器登録口を通過している状態、1行目にセットした容器が容器登録口を通過し終わった状態を示した図である。
【図１４】図１に示すシステムの容器情報読取り装置において、可動式リッジに容器貼付の無線タグ読み取りアンテナを搭載した容器挿入ユニットを用いた実施例の構成を示す上面図、長辺方向側面図である。
【図１５】図１に示すシステムの容器情報読取り装置において、可動式リッジに容器貼付の無線タグ読み取りアンテナを搭載した容器挿入ユニットを用いた実施例の容器挿入ユニット内部の構成を示す透視図である。
【図１６】図１に示すシステムの容器情報読取り装置において、可動式リッジに容器貼付の無線タグ読み取りアンテナを搭載した容器挿入ユニットを用いた実施例であり、容器をセットする前の状態、容器をセットし終えた状態、容器をラックへ排出する時の状態を示す図である。
【図１７】図１に示すシステムの容器情報読取り装置の別実施例（第二の実施例）での構造を、上面、長辺側面、短辺側面から示す図である。
【図１８】図１に示すシステムの容器情報読取り装置の別実施例（第二の実施例）に、容器を格納したラックを搭載した場合を、上面、長辺側面、短辺側面から示す図である。
【図１９】図１に示すシステムの容器位置検出センサとして探針（プローブ）型センサを使用した場合の構造例、動作状況を示す図である。
【図２０】図１９に示す探針（プローブ）型センサの構造と動作を示す図である。
【図２１】図１に示すシステムの容器位置検出センサとして用いられるフォトセンサユニットの構造と動作を示す図である。
【図２２】図１に示すシステムの容器位置検出センサとして用いられる光量センサユニットの構造と動作を示す図である。
【図２３】図１に示すシステムの容器位置検出センサとして用いられる超音波センサユニットの構造と動作を示す図である。
【図２４】図１に示すシステムの容器位置検出センサとして用いられる圧力センサスイッチの構造と動作を示す図である。
【図２５】図１に示すシステムのラックと磁気センサとの位置関係を、上面、長辺側面、短辺側面より示す図である。
【図２６】図１に示すシステムの容器情報読取り装置に、長方形のラックを搭載した場合の、正しい搭載位置、誤った搭載位置を示す図である。
【図２７】図１に示すシステムの容器情報読取り装置に、正方形のラックを搭載した場合の、正しい搭載位置、誤った搭載位置の第一例、誤った搭載位置の第二例、誤った搭載位置の第三例を示す図である。
【図２８】図１に示すシステムの容器情報読取り装置に、長方形のラックを搭載した場合の、正しい搭載位置、誤った搭載位置を示す図である。
【図２９】図１に示すシステムの容器情報読取り装置の、新規容器登録時の処理フローを示す図である。
【図３０】図１に示すシステムの容器情報読取り装置の、既存ラックへの容器追加時の処理フローを示す図である。
【図３１】図１に示すシステムの容器情報読取り装置の、登録済容器検索時の処理フローを示す図である。
【図３２】図１に示すシステムの容器情報読取り装置の、容器登録抹消時の処理フローを示す図である。
【図３３】図１に示すシステムの容器情報読取り装置の、容器格納位置変更時の処理フローを示す図である。
【図３４】図１に示すシステムの容器情報読取り装置を用いて、ラックに容器を格納する時の、管理システムソフトウエアのメインルーチンの概要を示す図である。
【図３５】図１に示すシステムの容器情報読取り装置を用いて、ラックに容器を格納する時の、管理システムソフトウエアのサブルーチン１の概要を示す図である。
【図３６】図１に示すシステムの容器情報読取り装置を用いて、ラックに容器を格納する時の、管理システムソフトウエアのサブルーチン２の概要を示す図である。
【図３７】図１に示すシステムの容器情報読取り装置を用いて、ラックに容器を格納する時の、管理システムソフトウエアのサブルーチン３の概要を示す図である。
【図３８】図１に示すシステムの容器情報読取り装置の管理システムソフトウエアにおいて、容器検索処理を行う場合の、管理ＰＣ画面の一例を示す図である。
【図３９】図１に示すシステムの容器情報読取り装置の管理システムソフトウエアにおいて、容器検索処理を行う場合の、管理ＰＣ画面の一例を示す図である。
【図４０】図１に示すシステムの容器情報読取り装置に、冷凍庫から取り出してきた試験管ラックを搭載した時の上面図である。
【図４１】図１に示すシステムの容器情報読取り装置の管理システムソフトウエアにおいて、容器検索処理を行う場合の、管理ＰＣ画面の一例を示す図である。
【図４２】図１に示すシステムの容器情報読取り装置に、冷凍庫から取り出してきた試験管ラックを搭載した時の、検索した試験管の位置を示す上面図である。
【図４３】図１に示すシステムの容器情報読取り装置の管理システムソフトウエアにおいて、容器検索処理を行う場合の管理ＰＣ画面の一例を示す図である。
【図４４】図１に示すシステムの容器情報読取り装置に、冷凍庫から取り出してきた試験管ラックを搭載した時の、検索した試験管を取り出した所を示す上面図である。
【図４５】図１に示すシステムの容器情報読取り装置の管理システムソフトウエアにおいて、容器検索処理を行う場合の、管理ＰＣ画面の一例を示す図である。
【図４６】図１に示すシステムの容器を収納したラックを保管する棚（ラック保管棚）の構成を示す透視図である。
【図４７】図１に示すシステムの管理ＰＣ上でラック保管棚の使用状況を確認した際の表示例であり、各保管棚の位置を示す図である。
【図４８】図１に示すシステムの管理ＰＣ上でラック保管棚の使用状況を確認した際の表示例であり、保管棚中のラック格納状況を示す図である。
【図４９】図１に示すシステムのラック保管棚の内部を示した図であり、6箇所の保管区画のうち4箇所にラックが保管され、2箇所が空いている状態、2箇所の空き区画のうちの一方にラックを保管した状態、全ての保管区画にラックを収納した状態を示す図である。
【図５０】図１に示すシステムの管理ＰＣ上でラック保管棚の使用状況を確認した際の表示例であり、保管棚中のラック格納状況を示す図である。
【図５１】図１に示すシステムのラック保管棚の内部において、6箇所の保管区画のうち4箇所にラックが保管され、2箇所が空いている状態、ラック保管先区画のランプが点滅している状態、ラックが指定された区画内に保管された状態、ラックを指定された保管区画以外の場所に誤って保管した状態を示す図である。
【図５２】図１に示すシステムのラック保管棚の内部において、6箇所の保管区画のうち5箇所にラックが格納されており、1箇所が空いている状態を示す図である。
【図５３】図１に示すシステムのラック保管棚の内部において、ラックを指定された保管区画以外の場所へ誤って保管した時の状態を示す図である。
【発明を実施するための形態】
【００２８】
添付の図面を参照して本発明の実施の形態を説明する。以下に説明する実施の形態は本発明の構成の例であり、本発明は、以下の実施の形態に制限されるものではない。  
以下、発明の実施の形態を通じて本発明を説明するが、以下の実施形態は、請求の範囲にかかる発明を限定するものではなく、また実施形態の中で説明されている特長の組み合わせの全てが、発明の解決手段に必須であるとは限らない。
【００２９】
図１は、本発明に係る容器管理システムの全体構成を示す概念図である。この容器管理システムは、データベースサーバ１、容器読取り装置３、管理用パーソナルコンピュータ（以下、管理ＰＣ）４、作業中ラック５、無線タグ付き容器６、容器格納済ラック７およびラック保管棚８から構成され、各々はＩＰネットワーク（インターネット、イントラネット）２を介して接続されている。なお、ネットワークの接続はSSL（Secure Socket Layer）もしくはIPSec（Security Architecture for Internet Protocol）といった秘匿通信で行われることを前提とする。管理ＰＣ４では、容器情報読取り装置３を用いて登録作業を行う時や、特定の容器を検索したり保管位置を移動させたりデータベースから容器情報を抹消するためのアプリケーションソフトウエアが動作する。これら各々の構成要素は常時ネットワーク２を介して接続された状態に置かれ、容器登録時に変更があった場合には、その内容がリアルタイムにサーバ１のデータベースに反映されるようになっている。
【００３０】
図２は、上記容器情報読取り装置３を用いて、無線タグ付き容器６をラック５に格納し、容器格納済ラック７をラック保管棚８へ保管するまでの一連の流れを示す。先ず無線タグが貼付された容器６と、容器６を格納する無線タグが貼付されたラック５を用意する。無線タグの表面ラベルには、無線タグ内部に格納されている個別情報をバーコードや文字列で印刷しておく。こうすることで、万一無線タグが破壊した場合でも、ラベル上に印刷されたバーコードもしくは文字列を読み取るとで、トレーサビリティーを確保することが可能となる。
【００３１】
ラック５には、無線タグを付けることによりタグＩＤによる固有の識別情報（以下、ラックむ固有情報）が付与され、容器６には、無線タグを付けることにより容器内の内容を含む個別情報が付与される。最初に、空の状態のラック５を容器情報読取り装置３にセットする。容器情報読取り装置３は、内部に設けられたラックマウントセンサによりラック５が搭載されたことを自動的に検出すると共に、ラック格納方向検出センサによって、搭載されたラック５が正しい方向であるかどうかを自動的に検出する。その後、無線タグ読み取りアンテナから読取り電磁波を照射してラック固有情報を読取り、読み取ったラック固有情報をサーバ１のデータベースに新規登録する。次に、容器情報読取り装置３を用いて、無線タグ付き容器６を1本ずつラック５に格納して行く。容器情報読取り装置３には容器位置検出センサが搭載されており、無線タグ付き容器６を1本入れる毎に、その容器６を格納したラック５内の位置情報を検出することができる。その後、容器６に貼付された無線タグの個別情報が、無線タグ読み取り電磁波によって取得される。各容器６の個別情報は、容器６を格納したラック５の固有情報および容器６を格納したラック５内での容器６の位置情報に紐づけられた形で、サーバ１のデータベースに順次登録される。
【００３２】
容器６の格納が完了したラック７を容器情報読取り装置３から取り出して、ラック保管棚８へ運び保管する。図２の例では、ラック固有情報をR0001、ラック７の保管場所を保管棚番号0001のA列3段目として示している。ラック保管棚８には無線タグ読み取りアンテナが搭載されており、出し入れするラックの固有情報を常に把握している。図２の例で、保管棚0001のA列3段目にラック固有情報R0001のラックを格納すると、ラック保管棚８に搭載された無線タグ読み取りアンテナが自動的にラック固有情報を取得し、ラック固有情報R0001が保管棚0001のA列3段目に格納されたことをサーバ１のデータベースに登録する。
【００３３】
図３は、容器情報読取り装置３を用いて、ラック保管棚８に保管されている特定の容器６を取り出してくるまでの一連の流れを示す。取り出してくる容器６の検索は、ネットワーク２を介してサーバ１に接続された管理ＰＣ４上から行う。容器の検索キーワードは、容器６の個別情報の他に、その個別情報に紐付けられた情報でも可能である。検体保存を例に取ると、容器６の個別情報には名前、検体採取日、検体種別、検体メーカ固有コード等が紐づけられているが、それらをキーワードとしてデータベースに検索問い合わせをすることで、サーバ１から該当する検体の保管情報を得ることができる。該当する容器６が複数ある場合には、一覧表として出力され、問い合わせを行った者がその一覧の中から目的の容器を選択する。
【００３４】
図３の例では、容器６の検索を行った結果、目的の容器６はラック保管棚番号0001番A列3段目に保管されているラック番号R0001の、3行D列目に保管されているという結果が出力されている。検索を行った者は保管棚番号0001番が設置されている場所へ行き、保管棚0001番のA列3段目に保管されているラック（ラック番号R0001）７を取り出してくる。ラック７を保管棚から取り出すと、保管棚に搭載されている無線タグ読み取りアンテナは、取り出されたラック７の固有番号R0001を取得できなくなる。これによりサーバ１のデータベースは、該当ラック７が保管棚から取り出されたことを検出すると共に、当該ラック７の状態を「保管中」から「取り出し中」に変更する。
【００３５】
取り出したラック７を容器情報読取り装置３に格納すると、容器情報読取り装置3の内部に搭載されたラックマウントセンサによりラック７が格納されたことが検出され、かつラック格納方向検出センサによりラック７が正しい方向にセットされたことを確認する。その後、無線タグ読み取り電磁波をラック７に照射して、ラック固有番号とそのラック７に格納されている容器全ての個別番号を一括読取りする。読み取った情報は、サーバ１のデータベースと照合し、相違が無いかどうかをリアルタイムで確認する。後は、管理ＰＣ４の画面上に表示された目的とする容器６の格納場所（この例では3行D列）の容器６を取り出せばよい。容器検索時は、容器情報読取り装置３は常時ラック７およびラック７に格納された容器６に対して読取り電磁波を照射し、読み取った無線タグ情報を取得している。そのため、目的の容器６を容器情報読取り装置３内に設置されたラック７から取り出すと、その瞬間に取り出した容器６の個別番号が読み取れなくなる。サーバ１では、取り出された容器６の個体番号を検出し、データベース上の該当容器６の状態を、「保存中」から「取り出し中」に変更すると共に、管理ＰＣ画面にその結果を表示させる。取り出した容器６をラック７の元の場所に戻すと、容器情報読取り装置３に搭載された容器位置検出センサが、返却された容器６のラック７内での位置情報を取得すると共に、無線タグ読み取り電磁波の照射によってその容器６の個別情報を取得し、結果をサーバ１上のデータベースへ通知する。サーバ１では、取り出した容器６が元の位置に返却されたことを確認し、さらに取り出し中は読み取ることができなかった容器６の個別番号が、再び読み取れるようになったことを受け、該当容器６の状態を、「取り出し中」から「保存中」に変更し、管理ＰＣ４の画面にその結果を表示する。なお、取り出された容器６が元と異なる場所に返却された場合には、その旨をユーザに通知すると共に、容器６の格納位置の変更処理を行うかどうかを問い合わせる。
【００３６】
容器６をラック７から取り出して廃棄する場合には、容器６を取り出した時点で管理ＰＣ４の画面上から該当容器６の削除作業を行う。これにより、該当容器６はサーバ１のデータベースから削除される。
【００３７】
容器６の格納位置を変更するには、容器６を取り出した時点で管理ＰＣ４の画面上から該当容器６の格納位置変更処理を行う。取り出した容器６をラック７の異なる位置に格納すると、容器情報読取り装置３に搭載された容器位置検出センサにより、容器６の新たな格納位置が自動的に検出される。サーバ１は、容器６の返却位置が以前格納していた位置と異なっていることをユーザに通知すると共に、容器６の格納位置の変更処理を行うかどうかを問い合わせる。ここで容器６の格納位置変更処理を選択すると、サーバ１のデータベースには、該当容器６の以前の格納位置情報が消去され、該当容器６の新しい格納位置情報が登録される。
【００３８】
図４に、本実施形態で使用するラックの一例を示す。本実施形態では容器１０を5行×10列の形状で保存するラック９を用いた。図４（ａ）は、ラック９の上部を示す。ラック９を上部から見て、左上の端点をラック原点と規定し、その場所を1行A列と規定する。ラック原点に、ラック９に固有番号を付加する無線タグ１１を貼付する。前述したように、無線タグ１１の表面ラベルには、無線タグ１１に格納されている情報が、バーコードおよび文字列でも印刷されている。ラック原点に無線タグ１１を貼付することで、ラック原点を視覚的にも確認できるので、容器情報読取り装置へのラック格納の際に、ラック９を誤った向きに置くことを防ぐことができる。例として取り上げたラック９は5列×10行の構成なので、ラック原点を起点とし、行には1行〜5行、列にはA列〜J列と符号を付与することで、ラック内部の任意の位置を行列で表すことにする。図４（ｂ）に、ラック長辺側の側面を示す。また図４（ｃ）に、ラック短辺側の側面を示す。図４に示したラック９では、個別の識別番号を有する無線タグ１２が貼付された容器１０が、ラック内の格納可能領域に格納されている状態を示している。
【００３９】
図５に、本実施形態の容器情報読取り装置の第一の実施例を示す。本図では、内部構造を判りやすく表現するため、筐体部分を透明に表現している。また図５はラックを装置内に搭載していない状態を示しており、図５（ａ）は上面図、図５（ｂ）は長辺側面図、図５（ｃ）は短辺側面図であり、１３は無線タグ読み取りアンテナ、１４は容器位置検出センサ（可動式ブリッジ）、１５はラック位置固定用の枠、１６は列番号表示、１７は容器登録口、１８は列番号確認用窓、１９は行番号表示、２０は可動式ブリッジ移動用ガイドレール、２１はラックマウント検出センサ、５１はラック格納方向検出センサを示している。
【００４０】
図５に示す容器情報読取り装置は、電磁波の漏洩を防ぐ素材で構成された箱形をしている。装置上面に開口部があり、ここを通してラックを装置内部に格納する。またラックを定位置に固定するため、ラック固定用の枠１５が四隅に設けられている。さらに、ラックを容器情報読取り装置に搭載したことを自動的に検知するラックマウント検出センサ２１が、容器情報読取り装置の底部に設置されている。さらに、ラックが正しい方向に格納されたかどうかを確認する、ラック格納方向検出センサ５１が設置されている。
【００４１】
第一の実施例では、容器位置検出センサ１４として、装置上面に設置された可動式ブリッジ１４を使用する方法を示している。装置上面には可動式のブリッジ１４が設けられている。ラック１１を容器情報読取り装置の内部に格納する際はラック格納の妨げとならないよう、可動式ブリッジを容器情報読取り装置の左右どちらかの端に待避させる。本実施例では、ラック９の列方向に移動させることができる可動式ブリッジ１４を例にとった。可動式ブリッジ１４は、ブリッジ移動用ガイドレール２０に沿って移動させる。移動量は1列分ずつの幅となるよう、ノッチが形成される。現在どの列の位置にあるかは、列番号確認用窓１８に表示される列表示（本実施例ではAからJまでのアルファベット）で確認する。可動式ブリッジ１４を指定した列に移動すると、可動式ブリッジ１４の現在位置の情報が列番号確認用窓１８に表示されると同時に、ブリッジ１４の列情報が電気信号として自動的に取得される構成になっている。可動式ブリッジ１４の上部には、容器登録口１７が設けられる。容器登録口１７は、使用するラックの行数分縦に並んでいる。本実施例では5行×10列のラックを想定しているので、容器登録口１７は1から5までの5つとなる。それぞれの容器登録口１７の横には、行数が数値で表示されている（本実施例では1から5までの数値）。
【００４２】
図５（ｂ）に、容器情報読取り装置の長辺側面図を示す。本実施例の装置では、無線タグ読み取りアンテナ１３は容器情報読取り装置の長辺側面に対向して2枚設置されている。アンテナ１３の設置位置と設置枚数および設置位置については、ラック９に貼付された無線タグ１１および容器１０に貼付された無線タグの固有識別情報を一括して読み取れるのであれば、特に指定は無い。図５（ｃ）に、容器情報読取り装置の短辺側面を示す。可動式ブリッジ１４にはラック９の行間隔に沿って容器登録口１７が設けられている。
【００４３】
図６に、本発明の容器情報読取り装置の第一の実施例に、ラック９を搭載した状況を示す。図６（ａ）は、容器情報読取り装置にラック９を搭載し、3行I列の格納領域に容器１０を格納するため、可動式ブリッジ１４を移動させた状況を、上面から示している。可動式ブリッジ１４はI列目に移動しており、可動式ブリッジ１４の列番号確認用窓１８には「I」が表示されている。ラック９は、ラック原点を左上に置いた状態で、容器情報読取り装置内部に固定されている。ラック９は、搭載位置がずれないよう、ラック位置固定用枠１５内にしっかりと固定されている。ラック９の原点には、ラック固有の識別情報を格納した無線タグ１１がラック側面に貼付されている。ラック９を容器格納装置に搭載した段階で、容器情報読取り装置のラックマウント検出センサ２１がラック９の搭載を自動的に検出すると同時に、ラック格納方向検出センサ５１が、ラック９が正しい方向に設置されているかどうかを確認する。
【００４４】
図６（ｂ）は、図６（ａ）の状況を装置長辺側面から見た図である。図では、無線タグが貼付された試験管１０を、ラック９の3行I列に格納する所を示している。可動式ブリッジ１４は可動式ブリッジ移動用ガイドレール２０に沿って、I列の位置まで移動している。この状態で、可動式ブリッジ１４の列番号確認用窓１８には「I」が表示されると共に、可動式ブリッジ１４の列位置に相当する電気信号が自動的に生成されている。
【００４５】
図６（ｃ）は、図６（ａ）の状況を装置短辺側面から見た図である。無線タグを貼付された試験管１０は、可動式ブリッジ１４の上部に設けられた容器登録口１７の「3行目」の穴を介して、ラック９に格納する。容器登録口１７の内部に設けられたセンサが、試験管の通過を検出し、可動式ブリッジ１４の3行目の穴から試験管１０が格納されたことを示す電気信号が自動的に生成される。以上のように、容器情報読取り装置にラック９を格納し、容器１０を格納したい列に可動式ブリッジ１４を移動させ、容器１０を格納したい行の直上にある容器登録口１７から容器１０を挿入する作業を繰り返すことで、格納した容器１０の個別識別情報と、その格納位置が自動的に取得されて行く。
【００４６】
図７に、本発明の容器情報読取り装置の第一の実施例の別形態を示す。図７（ａ），（ｂ），（ｃ）は容器位置検出センサを備えた固定式ブリッジ２２を図中左から右へずらした様子を示している。ここで、２３はラックトレイ、２４はラックトレイ移動用レバーを示している。
【００４７】
すなわち、図６では、可動式ブリッジ１４をラック９の各列の上に移動させて使用したが、図７ではブリッジ自体を固定式とし、ラック９をラックトレイに搭載して移動させる方法を示している。固定式ブリッジ２２は、容器情報読取り装置の中央に設けられている。先ず容器情報読取り装置の左側に、容器を格納したいラック９を設置する。ラック９は、ラック原点位置を合わせた状態で、ラックトレイ２３上に固定する。ラックトレイ２３はラックトレイ移動用レバー２４で、各列分の幅の単位で移動できるよう構成されている。容器をラック９に格納する際は、ラックトレイ移動用レバー２４を操作し、容器を格納する列までラック９を固定式ブリッジの下まで移動させる。固定式ブリッジ２２の上部には、列番号確認用窓１８が設けられており、どの列なのかを確認することができる。ラックトレイ移動用レバー２４は、ラック９の列の幅だけ移動できるようノッチが付いており、固定式ブリッジの直下の列情報を電気信号で自動的に取得できるよう構成されている。以上示したように、ラックトレイ移動用レバーを用いて、容器を格納したい列を固定式ブリッジの直下に移動させ、容器を登録する行の直上にある容器登録口から容器を格納する作業を繰り返すことで、格納した容器の個別情報と、その格納位置が自動的に取得されて行く。
【００４８】
図８に、図５に示した本発明の容器情報読取り装置の第一の実施例の外観を示す。容器情報読取り装置の内部には、無線タグの情報を読み取るための無線タグ読み取りアンテナが搭載されている。従って、無線タグ読み取り電波が容器の外部に漏れた場合、容器情報読取り装置の外に置かれた、無線タグを貼付した試験管等を、誤って読み取ってしまう可能性がある。よって容器情報読取り装置の構造は、無線タグ読み取り電波の漏れを無くすような構造にする必要がある。図８（ａ）は、容器情報読取り装置の筐体を、電磁波を遮蔽する材質２５で覆った場合を示す。容器情報読取り装置の上面部分のみを除き、残りの面を電磁波遮蔽材質２５で覆う。無線タグ読み取り電波の強度を、上部から電波が漏れ出さない程度に調節することで、外部への電波漏洩を防止する。この場合、容器情報読取り装置の上面を覆うものは無いので、ラックの取り出し作業に支障は出ない。
【００４９】
図８（ｂ）は図８（ａ）の方法をさらに改良したもので、容器情報読取り装置の上部も電磁波を遮蔽する材質の電磁波遮蔽カバー２６で覆う例である。ラック９の着脱時およびラック９から特定の容器を出し入れする際には、容器情報読取り装置上部の電磁波遮蔽カバー２６を外しておく。容器情報読取り装置にラック９をセットした後、上部を電磁波遮蔽カバー２６で覆い、登録作業を行う。
【００５０】
図８（ｃ）は、図８（ｂ）で用いる電磁波遮蔽カバー２６の一例を示す。電磁波遮蔽カバー２６の材質は、電磁波を遮蔽する金属板もしくは電磁波遮蔽布が考える。電磁波遮蔽カバー２６はラックの格納位置に合わせて穴が開いている。従って、可動式ラックの容器登録口からラックへ容器を挿入する際に、邪魔になることは無い。また電磁波遮蔽カバーの穴は、ラックに容器が格納されているかどうかを目視確認出来る程度の大きさであるとする。電磁波遮蔽カバーを電磁波遮蔽布で構成した場合、容器を挿入する穴を開けるのでは無く、切り込みを入れても構わない。これにより、より電磁波遮蔽能力が向上する。以上の処理により、容器情報読取り装置内部の無線タグ読み取り電波が外部へ漏れる可能性を無くすことができる。
【００５１】
図９（ａ），（ｂ），（ｃ）に、図７に示した本発明の容器情報読取り装置の第一の実施例の外観を示す。図７の容器情報読取り装置では、図５の場合と異なり、ブリッジ２２を固定しラック７の方を移動させることによって、ラック７への容器格納処理を行う。容器情報読取り装置の上面を開けておくと、無線タグ読み取り電波が漏れる可能性が高くなるため、電磁波遮蔽パネル２６で覆う。図７では固定式ブリッジ２２を使用するため、電磁波遮蔽カバー２６は、容器登録口の部分のみ穴が開いていればよい。容器情報読取り装置へのラック着脱時およびラック７から特定の容器を出し入れする際は、電磁波遮蔽カバー２５を取り外した状態で行う。電磁波遮蔽カバーの材質は、電磁波を遮蔽する金属板もしくは電磁波遮蔽布といったものが考える。電磁波遮蔽カバーを電磁波遮蔽布で構成した場合、容器を挿入する穴を開けるのでは無く、切り込みを入れても構わない。これにより、より電磁波遮蔽能力が向上する。以上の処理により、容器情報読取り装置内部の無線タグ読み取り電波が外部へ漏れる可能性を無くすことができる。
【００５２】
図１０（ａ），（ｂ），（ｃ），（ｄ）に、本発明の容器情報読取り装置の第一の実施例における容器位置検出センサとしての可動式ブリッジ１４の構造と、その動作を示す。可動式ブリッジ１４は、ラック９内で容器１０を格納したい列に移動させた後、容器１０を格納したい行の直上の容器登録口１７から容器１０を挿入して使用する。図１０（ａ），（ｂ），（ｃ），（ｄ）では、容器登録口１７に容器１０を通した時の、可動式ブリッジ１４内部の一連の動作を示している。
【００５３】
図１０（ａ）は容器を挿入する前の状態である。可動式ブリッジ１４の各容器登録口１７内部には、容器１０が通過したことを検知するセンサが格納されている。本実施例では、そのセンサの一例として、発光ダイオード２７とフォトセンサ２８を用いた光学的検出手段を記載した。この他にも、マイクロスイッチを用いた物理的検出手段などが考えられる。容器１０を挿入していない時には、発光ダイオード２７から出力された光はフォトセンサ２８に到達しており、フォトセンサ２８のスイッチはＯＮ状態になっている。
【００５４】
図１０（ｂ）に、容器登録口１７を容器１０が通過している状態を示す。容器１０が容器登録口１７を通過している時は、発光ダイオード２７の光が容器１０によって遮られるため、フォトセンサ２８はＯＦＦ状態になる。管理システムでは、フォトセンサ２８のＯＦＦ状態を検知し、その時に設置されている可動式ブリッジ１４の位置情報と容器１０が挿入された容器登録口１７の位置情報から、ラック９内での容器１０の位置情報を電気的に取得する。
【００５５】
図１０（ｃ）に、容器１０が容器登録口１７を通過し終えた状態を示す。発光ダイオード２７から出力された光は、再びフォトセンサ２８に到達するので、フォトセンサ２８はＯＮ状態に戻り、容器はラック内に格納される。
【００５６】
図１０（ｄ）に、容器が格納されたことを検知した後の状態を示す。可動式ブリッジ１４を介して新たに容器１０が格納されたことが検出されると、容器１０がラック９に格納された後で、無線タグ読み取りアンテナから無線タグ読み取り電磁波が1回もしくは複数回、自動的に照射され、ラック９内部の容器１０の固有情報とラック９の固有情報を一括読取りする。一括読取りした情報と、新規に格納された容器１０の位置情報は、ネットワークを介してサーバ上のデータベースに送信される。サーバでは、前回の一括読取り情報と比較することで、新規に登録された容器１０の固有識別番号を判別し、容器１０が格納された位置情報を紐付けした後、データベース内に登録する。
【００５７】
図１１に、本発明の容器情報読取り装置の第一の実施例における可動式ブリッジを使った容器の位置情報検出方法について、等価回路図を用いて示す。図１１において、３０は位置情報取得処理装置（マイクロプロセッサ）、３１は列検出用接点スイッチ、３２は行検出用センサスイッチ、３３はサーバへの位置情報信号出力を示している。
【００５８】
本実施例では、5行×10列のラックを用いた場合について説明する。可動式ブリッジ１４の容器登録口１７には、5個の行検出用センサスイッチ３２が搭載される。可動式ブリッジ１４は、可動式ブリッジ移動用ガイドレール２０に沿って、A列からJ列まで10カ所の位置に移動させることができる。可動式ブリッジ移動用ガイドレール２０には、それぞれの列の位置にAからJまでの10個の接点スイッチ３１が搭載されている。本図では、3行E列に容器を挿入している場合を示す。容器登録口１７のセンサに、上述したフォトセンサを用いる場合、容器が通過している時は3行目のスイッチのみがＯＦＦとなる。また可動式ブリッジ移動用ガイドレール２０に設けられたE行目の接点スイッチ３１がONになる。位置情報取得装置（マイクロプロセッサ）３０では、この2つの情報と、その時に格納された容器に貼付された無線タグの容器固有の識別番号とを、サーバ上のデータベースへ通知する。
【００５９】
以上の例では、容器位置検出センサとしての可動式ブリッジ１４の容器登録口に、容器を1本ずつ挿入して登録する方法を記した。しかしこの方法では、容器登録口に間違えて2本以上の容器を同時に挿入した場合には正常に登録を行うことができない。また、複数の容器を連続して登録する際は、容器を1本ずつ容器登録口に挿入するため、手間が発生する。以上の点を改善した実施形態として、図１２に、容器登録口の別構造を示した。
【００６０】
図１２（ａ），（ｂ），（ｃ）に、別構造の容器登録口の構造と動作を示した。図１２において、３８はソレノイド、３９はプランジャピン、４０はシャッターを示している。この例では、容器登録口１７の内部にソレノイド３８が内蔵されている。ソレノイド３８のプランジャピン３９にはシャッター１０が接続されており、初期状態では、容器登録口１７はシャッター１０で閉じられている。シャッター１０には電磁波を遮蔽する素材を使用すると、無線タグ読み取り電磁波の外部漏洩を防止でき、効果的である。図１２（ａ）は、容器登録口１７に容器１０をセットした時の状態を示している。ソレノイド３８からプランジャピン３９が出た状態になっており、シャッター４０が容器挿入口を塞いでいるため、容器１０は容器登録口１７を通過できない。また、容器登録口１７の下にある発光ダイオード２７とフォトセンサ２８は、遮るものが無いためON状態になっている。一例として、可動式ブリッジ１４上には5行分の容器登録口１７が設けられているとする。先ず、登録したい容器１０を容器登録口１７にセットする。この例では、1行目の位置に容器１０をセットした場合を示している。管理ＰＣから1行目の容器１０を登録する操作を実行させると、1行目の容器登録口１７のソレノイド３８がプランジャピン３９を引き込み、シャッター４０が開く。セットされていた容器１０は容器登録口１７を通過し、発光ダイオード２７からの信号を遮蔽するため、フォトセンサ２８がＯＦＦ状態となる（図１２（ｂ））。容器１１がラックに格納された後、フォトセンサ２８が再びON状態になったことを検知して、ソレノイド３８のプランジャピン３９が押し戻され、シャッター４０が容器登録口１７を塞ぐ（図１２（ｃ））。その後の処理については、最初に示した実施例と同様、容器情報読取り装置内部において無線タグの一括読取り処理を行い、新規に格納した容器１４の固有の識別番号を取得する。このように、容器１０を登録する際に必ず1個しか容器登録口１７のシャッターが開かない構造を用いることにより、誤って複数本同時に挿入してしまう危険性を除去できる。
【００６１】
また、この方法では、容器１０を複数本まとめて自動的に登録することも可能となる。図１３（ａ），（ｂ），（ｃ）に、容器登録口１７が5つある可動式ブリッジ１４で、5本の容器１０を順次登録する場合の例を示した。5つの行に順次容器１０を登録する際には、今までの方法だと、1本ずつ容器を容器登録口に挿入しなくてはならなかった。しかしこの方法を採用することで、まとめて5本の容器をセットし、容器登録口１７のシャッター４０を1つずつ順番に開けて容器１０をラック９に格納することにより、セットした容器5本が順次自動的に登録することが可能となる。
【００６２】
図１３（ａ）は、可動式ブリッジ１４に登録したい容器１０を5本セットした状態を示している。容器登録口１７内部のシャッター４０が全ての容器登録口１７を閉じているので、容器１０は容器登録口１７を通過できない。登録したい容器１０をセットした後で、管理ＰＣから5本分の容器をまとめて登録する指示を出す。5つある容器登録口のうち、1番目（1行目）の容器登録口内部のシャッターが開き、容器がラックに格納される（図１３（ｂ））。サーバ上のデータベースに容器が登録された後、次に2番目（2行目）の登記登録口のシャッターが開き、以下同様に5本の容器が順次自動的に登録されて行く。このように、ソレノイドを用いた容器登録口の開閉制御を行うことで、可動式ブリッジの容器登録口にセットされた複数本の容器を、順次自動的に登録して行くことが可能となる。また、容器登録を行わない容器登録口を、電磁波を遮蔽するシャッター４０で塞ぐことにより、容器情報読取り装置内部に搭載された無線タグ読み取りアンテナからの照射電磁波の、外部への漏洩を防ぐことができるという利点もある。
【００６３】
以上述べた実施例では、容器に貼付された無線タグの読み取りは、容器情報読取り装置内に設置された無線タグ読み取りアンテナにより一括して行っていた。即ち、新しい容器がラックに格納されると、容器固有情報の数が前回一括読取りした数よりも一つ増えるので、その増加分を新規格納した容器の固有情報として認識していた。
【００６４】
この方法とは別に、容器登録口部分に無線タグ読み取りアンテナを搭載し、容器をラックに格納する前に、容器の無線タグ情報を読み取るという方法も考えられる。容器を格納したい場所に容器登録口を移動させ、容器を格納する行列情報を取得する際、容器登録口に搭載した無線タグ読み取りアンテナで、容器登録口にセットされている容器に貼付された無線タグの固有情報の読取りを行う。さらに、容器をラックに格納した後で、従来通り容器情報読取り装置内に設置された無線タグ読み取りアンテナで、ラック内部の無線タグを一括読取りし、新規に追加された容器を特定することで、格納した容器を二重にチェックすることも可能となる。
【００６５】
図１４に、その一実施形態を示した。図１４（ａ）は容器情報読取り装置の上面を、図１４（ｂ）は長辺側面を示しており、４１は容器挿入ユニット、４２は容器挿入ユニット移動用ガイドレール、４３は容器挿入ユニット列確認用窓、４４は容器挿入ユニット列確認用窓、４５は無線タグ読み取りアンテナである。
【００６６】
容器登録口部分に無線タグ読み取りアンテナ４５を搭載した装置を、容器挿入ユニット４１と呼ぶことにする。容器挿入ユニット４１は、容器挿入ユニット移動用ガイドレール４２上を、行列両方向に移動することができる。本実施例の容器挿入ユニット４１では、1本分の容器登録口が付いている。図１４の例では、ラック９として5行×10列のものを用いているので、容器挿入ユニット４１は、行方向に5箇所、列方向に10箇所の、合計50箇所に移動させることができる。容器挿入ユニット４１を列方向に移動すると、容器挿入ユニット列確認用窓４３に列番号（A〜J）が表示される。また容器挿入ユニット４１を行方向に移動すると、容器挿入ユニット行確認用窓４４に行番号（1〜5）が表示される。各行、各列の移動量は、ラック９の格納位置に合わせており、ノッチにより1行分、1列分の移動ができるよう構成されている。
【００６７】
図１５に、容器挿入ユニット４１の内部構造を透視図で示した。容器挿入ユニット４１の内部には、セットされた容器１０に貼付されている無線タグ情報を読み取るための無線タグ読み取りアンテナ４５が搭載されている。ここで使用する無線タグ読み取りアンテナ４５は、至近距離にある無線タグ情報を読み取れれば良いので、小型かつ低出力のもので構わない。但し、容器１０の側面に貼付された無線タグの位置が常に一定方向になるとは限らないので、無線タグがどの位置にあっても確実に読み取ることができるように構成する必要がある。図１５の例では、容器１０を取り巻くように4枚の小型無線タグアンテナ４５を配置したが、十分な読取り能力がある場合には、これ以下のアンテナ枚数でも構わない。またアンテナ形状をフレキシブルに変えることができるのであれば、容器登録口内壁に沿って、円筒状にアンテナを搭載することも考えられる。
【００６８】
容器登録口１７の上下には、ソレノイド３８とプランジャピン３９に接続されたシャッター４０が配置される。シャッター４０には、電磁波を遮蔽する素材を用いると、電磁波漏洩を防止できて効果的である。容器１０をセットして無線タグ情報を読み取る際には、上下のシャッター４０が閉じた状態となり、容器登録口内部の無線タグ読み取り電磁波の漏洩を防止する。さらに、容器登録口内部には、容器が挿入されていることを検知するフォトセンサ２９が設置されている。
【００６９】
図１６に、容器挿入ユニットの構造と動作を示した。図１６（ａ）は、容器挿入ユニットに容器をセットする時の状態を示している。容器登録口の下側のシャッターは閉じられており、上側のシャッターは開いている。フォトセンサは容器の挿入を検出していない。また、容器貼付無線タグ読み取りアンテナからは、読取り電磁波は照射されていない。図１６（ｂ）は、容器を容器挿入ユニットにセットした時の状態を示している。容器１０が挿入されたことをフォトセンサが検知すると、容器登録口の上側シャッター４０が閉じる。これによって、容器登録口１７は電磁波的に密閉された状態となる。その後、容器貼付無線タグ読み取りアンテナ４５から、無線タグ読み取り電磁波が照射される。アンテナ４５を複数枚搭載した場合には、全てのアンテナから一度に照射する方法と、1枚ずつ順次照射を行う方法が考えられる。また照射回数も複数回間欠的に行って、無線タグ読み取り精度を向上させる方法も考えられる。図１６（ｃ）は、容器１０に貼付された無線タグの読み取りが終わり、容器１０をラック９に格納する時の状態を示している。無線タグ情報が読み取れたことを確認できたら、無線タグ読み取り電磁波の照射を止め、容器登録口１７の上下シャッター４０を開く。容器１０はラック９に格納され、容器登録口１７内部のフォトセンサ２９は、再び容器未検出状態に戻る。
【００７０】
この方法では、容器挿入ユニット４１で、格納する容器１０に貼付された無線タグ情報を読み取ってしまうので、容器１０をラック９に格納した後で、容器情報読取り装置に搭載された無線タグ読み取りアンテナ４５で一括読取りを行わなくてもよい。しかし、容器１０がラック９に確実に格納されたかどうかを確認する意味で、容器１０がラック９に格納された後でも無線タグ一括読取りを行なった方が、実際に容器１０が格納されたことを二重に確認できるため、効果的である。
【００７１】
図１７に、本発明の無線タグ付き容器情報読取り装置の第二の実施例を示す。第一の実施例では、容器位置検出センサとして、装置上面に設置された可動式ブリッジを使用していたが、第二の実施例では、無線タグ付き容器情報読取り装置の底面に、容器位置検出センサを搭載した構成を取っている。容器位置検出センサは、容器の有無を検出するセンサを、ラック内の容器格納位置と同一パターンで配置した構造となっている。容器の有無をラック下部から検出する方法を採るため、第二の実施例で使用するラックの形状は、ワイヤフレームで構成されたものか、もしくはラック底面の各容器の格納位置に小さな穴が開いているものを使用する。第二の実施例では、容器をラックに格納する際、ブリッジを移動させる必要は無く、そのまま容器をラックの格納位置に挿入するだけで、容器がラックに搭載されたことが検出される。
【００７２】
図１７（ａ）に、本方式での容器情報読取り装置の上面を示す。筐体など基本的な構造は、第一の実施例と同一である。ラックの格納を検出するラックマウント検出センサ２１と、ラックの格納方向を検出するラック格納方向検出センサ５１も、第一の実施例と同様に搭載されている。ラックを搭載する位置の底面には、容器位置検出センサ１４が、ラック内の容器格納位置と同一のパターンで配置されている。図１７（ｂ）は、本方式での容器情報読取り装置の長辺側面を示す。ラックを置く位置の底面に、容器位置検出センサ１４が搭載される。図１７（ｃ）は、本方式での容器情報読取り装置の短辺側面を示す。
【００７３】
図１８に、本方式の容器情報読取り装置に、容器１０を格納したラック９を搭載した図を示す。図１８（ａ）は、本方式の容器情報読取り装置にラック９を搭載した場合の、装置上面を示している。容器位置検出センサ１４はラック９内の各容器１０の下に配置されており、ラック９を搭載するとラック９内の各格納位置における容器１０の有無を自動的に検出する。図１８（ｂ）は、本方式での容器情報読取り装置の長辺側面を示す。ラック９の底面に、容器位置検出センサ１４が搭載される。図１８（ｃ）は、本方式での容器情報読取り装置の短辺側面を示す。
【００７４】
図１９に、容器位置検出センサ１４として探針（プローブ）型スイッチを用いた例を示す。図１９（ａ）は、ラック1行分のセンサの配置状況を示している。容器位置検出センサは、ラック内の容器の格納位置と同一パターンで配置されるため、例えば5行×10列のラックを使用した場合には、図１９（ａ）に示した構造のセンサを5つ並べて用いることになる。図１９（ｂ）に、容器位置検出センサの動作状況を示す。本実施例で使用するラック９は、ワイヤフレーム状に構成されたものか、もしくはラック底面の各容器の格納位置に小さな穴が開いているものを使用する。そのため、容器位置検出センサ１４の探針（プローブ）５４は、ラック底面を通して突き出るような構造になっている。ラック内の容器格納位置に容器１０が入っていると、容器位置検出センサ１４の探針（プローブ）５４が押し込まれ、スイッチが閉じて「ON」状態になる。一方、容器１０が入っていない場合には、探針（プローブ）５４は押し込まれず、スイッチ５５は「OFF」のままとなる。このスイッチ５５の開閉を検出することで、ラック内部での容器１０の格納状況を一括して把握することができる。
【００７５】
図２０〜図２４に、容器位置検出センサ１４に用いる各種センサの構造を示した。
【００７６】
図２０は、容器位置検出センサ１４として、上述した探針（プローブ）５４とスイッチ５５を用いた、探針（プローブ）型センサの構造を示している。
【００７７】
図２１は、容器位置検出センサ１４として、フォトセンサユニット５６を用いた場合を示している。容器１０が格納されていない場合には、フォトセンサ発光部５７から出た光が反射されて受光部５８に到達しないので、フォトセンサユニット５６は「OFF」になる。一方、容器１０が格納されると、フォトセンサ発光部５７から出た光が容器１０の底部に反射されフォトセンサ受光部５８に入るため、「ON」状態となる。
【００７８】
図２２は、容器位置検出センサ１４として、光量センサユニット５９を用いた場合を示している。容器１０が格納されていない場合には、光量センサ（CdSセル等）６０に入射光があるため、センサは「OFF」状態になっている。一方、容器１０が格納されると、入射光が容器１０により遮られるため、光量が低下し、センサは「ON」となる。
【００７９】
図２３は、容器位置検出センサ１４として、超音波センサユニット６１を用いた場合を示している。容器１０が格納されていない場合には、超音波発信部６２から出力された超音波は超音波受信部６３に届かないため「OFF」となるが、容器１０が格納されると、超音波発信部６２から出力された超音波が超音波受信部６３に届き「ON」状態となる。
【００８０】
図２４は、容器位置検出センサ１４として、圧力センサスイッチ６４を使用した場合を示している。圧力センサスイッチ６４には探針（プローブ）５４が付いている。容器１０が格納されていない場合には、探針（プローブ）５４に圧力がかからないため、圧力センサスイッチ６４は「OFF」となる。容器１０が格納されると、探針（プローブ）５４が容器１０によって押し込まれ、センサ５４に圧力がかかるため、「ON」状態となる。
【００８１】
本方式での容器情報読取り装置の動作は、基本的に第一の実施例と同様である。本方式の容器情報読取り装置では、ラック９をセットした後、容器１０を格納したい場所に挿入する。容器位置検出センサ１４が容器１０の格納を検出し、格納位置情報を取得した後、容器情報読取り装置内に搭載されている無線タグ読み取り電磁波が1回もしくは複数回、自動的に照射され、ラック内部の容器の固有識別情報とラックの固有識別情報を一括読取りする。一括読取りした無線タグ情報と、容器位置検出センサ１４で格納された容器の位置情報を、ネットワークを介してサーバに送信する。サーバでは、前回の一括読取り情報結果と比較することで、新規に登録された容器１０の固有識別情報を判別し、今回容器が格納された位置情報と紐付けした後、データベース内に登録する。
【００８２】
なお、本発明ではラック９の原点を定義し、それを基準にラック内部の容器位置を行列表示で示している。ここで重要となることは、ラック９を容器情報読取り装置を搭載する際に、ラック原点を必ず決められた位置に置かなくてはならないことである。本実施例では、ラック原点に相当する場所に、ラック固有識別情報を示す無線タグを貼付することで、ラック９の方向を目視確認して設置する方法を述べた。しかしこの場合、ラック９を搭載する時に、誤った方向に設置してしまう可能性も残されている。従って、システム運用上ラック９が必ず正しい方向にセットされていることを自動的に認識し、誤った方向に設置された場合には、エラーを通知し容器登録作業ができないようにする仕組みを搭載することが好ましい。
【００８３】
上記の点を改善する一つの方法として、ラック原点に無線タグ１１を貼付すると同時に、磁石を貼り付ける。容器情報読取り装置には、ラック原点の角付近に、ホール素子等を用いた磁気センサを搭載しておく。このようにすれば、ラックを誤った方向に設置したかどうかを自動的に判断することができる。
【００８４】
図２５に、ラック９に貼付する磁石３６と容器情報読取り装置に搭載した磁気センサ３７の位置関係を示した。磁石３６はラック固有識別情報を格納した無線タグ１１の近傍に貼り付けるものとする。磁気センサ３７は、ラック９を正しい方向に設置した場合には、磁石３６からの磁束を検出する。しかし、誤った方向に設置した場合には、磁束を検出できないため、設置エラーを通知する。
【００８５】
図２６に、長方形のラック１１を使用した場合の、正しい搭載位置と誤った搭載位置の上面図を示した。ラックが長方形であるため、容器情報読取り装置内へのラック搭載方向は、2つに限られる。図２６（ａ）では、磁気センサ３７と磁石３６が接近して配置されるので、磁気センサ３７が磁石３６を検出して正しい位置と判断できるが、図２６（ｂ）では、磁石３６が磁気センサ３７の対角に位置するため、磁気センサ３７が磁石３６を検出できず、設置エラーを通知する。
【００８６】
図２７に、正方形のラック９を使用した場合の、正しい搭載位置と誤った搭載位置の上面図を示した。ラック９が正方形であるため、容器情報読取り装置内へのラック搭載方向は、4つになる。図２７（ａ）では、磁気センサ３７と磁石３６が接近して配置されるので、磁気センサ３７が磁石３６を検出して正しい位置と判断できる。一方、図２７（ｂ），（ｃ），（ｄ）では、いずれの場合も、磁気センサ３７と磁石３６とが離れているため、磁気センサ３７は磁石３６を検出できず、設置エラーを通知する。
【００８７】
ラック原点の自動検出には、上記に述べた磁石３６によるもの以外にも、以下の方法が考えられる。図２８に、別の実施例を示す。ラック原点位置付近に、小型無線タグ読み取りアンテナ４６を設置する。この小型無線タグ読み取りアンテナ４６は、容器情報読取り装置内部に設置した無線タグ読み取りアンテナとは別個に設ける。アンテナ４６からの電磁波出力を調節することで、読取り電磁波の照射領域４７を、ラック原点に貼付されラック固有識別情報を格納した無線タグ１１近傍領域のみとなるよう調整する。即ち、小型無線タグ読み取りアンテナ４６の出力は、小さくて構わない。ラック９に容器１０を格納していない状態で、ラック９を容器情報読取り装置に入れ、ラック固有識別情報を格納した無線タグの内容を小型無線タグ読み取りアンテナ４６で認識させ、ラック９をサーバ上のデータベースに登録する。ラック固有識別情報をデータベース上に登録する際は、必ずラック９に容器１０が格納されていない状態で行う。ラック９に容器１０が入っている時に行うと、ラック原点付近の容器１０の固有識別情報を格納した無線タグも同時に読み込まれてしまう可能性があるため、どの情報がラック固有識別情報なのかが判らなくなってしまうからである。図２８（ａ）に、ラック固有識別情報をデータベース上に登録する時の状況を図示した。小型無線タグ読み取りアンテナ４６の電磁波照射領域４７を点線で表している。電磁波照射領域４７内にラック固有識別情報を格納した無線タグ１１が有るため、その情報を読み取ることができる。図２８（ｂ）に、ラック９を間違った方向に設置した場合を示す。この時、小型無線タグ読み取りアンテナ４６は、ラック固有識別情報を格納した無線タグ１１の内容を読み取ることができない。
【００８８】
ラック固有識別情報を登録したラック９を次回以降用いる際、もしラック９の向きを間違えて容器情報読取り装置に設置した場合、小型無線タグ読み取りアンテナ４６からの照射電磁波はラック固有識別情報を格納した無線タグ１１を認識することができない。この場合、ラック９の設置エラーを通知し、その後の容器登録作業を中止し、操作者に正しい向きにラック９を入れ直すよう指示することで、ラック原点を正確に合わせることができる。一旦ラック固有識別情報を格納した無線タグ１１をサーバ上に登録すれば、次回以降はラック９を正しい位置に設置すれば、容器登録時に必ずこの固有識別情報が小型無線タグ読み取りアンテナ４６から読み取ることができる。ラック９に容器１０が格納された場合、ラック原点付近の容器に貼付された容器固有識別情報を格納した無線タグ１１も読み取られてしまう可能性があるが、データベース上ではラック９の固有識別情報は予め登録されているので、問題は無い。
【００８９】
図２９、図３０、図３１、図３２、図３３に、本発明の容器情報読取り装置を使用して容器を管理する場合の、各操作の作業フローを示した。
【００９０】
図２９は、新規ラックに容器を格納してデータベースに登録する際の作業フローを示す。この場合は、新規ラックおよびラックに格納する容器を用意し（ステップＳ１１）、管理ＰＣ上で容器情報読取り装置の管理ソフトウエアを起動する（ステップＳ１２）。次に、その管理ソフトウエアで、新規登録処理を選択し（ステップＳ１３）、容器情報読取り装置にラックをセット（ステップＳ１４）し、ラックに容器を格納する（ステップＳ１５）。これにより、ラックに格納された容器の位置情報が読取られ、サーバのデータベースに登録される。容器格納後、容器情報読取り装置からラックを取り出し（ステップＳ１６）、指定した保管場所へラックを格納し（ステップＳ１７）、一連の作業を終了する。
【００９１】
図３０は、既にデータベースに登録されている既存ラックに、新たに容器を追加登録する場合の作業フローを示す。この場合、管理ＰＣ上で、容器読取り装置管理ソフトウエアを起動し（ステップＳ２１）、既存ラックの容器追加処理を起動し（ステップＳ２２）、容器を追加登録し、ラックの保管場所（ラック保管棚）を検索する（ステップＳ２３）。続いて、検索結果表示に従い、保管場所からラックを取り出して（ステップＳ２４）、容器情報読取り装置にラックをセットし（ステップＳ２５）、追加登録したい容器をラックに格納する（ステップＳ２６）。これにより、追加登録したい容器の情報が読み出され、サーバのデータベースに追加登録される。登録完了後、容器情報読取り装置からラックを取り出し（ステップＳＳ２７）、指定した保管場所へラックを格納し（ステップＳ２８）、一連の作業を終了する。
【００９２】
図３１は、登録済み容器を検索する際の作業フローを示す。この場合は、管理ＰＣ上で、容器読取り装置管理ソフトウエアを起動し（ステップＳ３１）、容器検索を選択し（ステップＳ３２）、検索したい容器の情報を入力する（ステップＳ３３）すると、ラック検索結果表示が行われるので、この検索結果表示に従い、保管場所（ラック保管棚）からラックを取り出してくる（ステップＳ３４）。そして、そのラックを容器情報読取り装置にセットすると（ステップＳ３５）、検索対象の容器が検索され、その位置情報が表示される。検索結果表示に従い、ラック内部の指定位置から容器を取り出し（ステップＳ３６）、取り出した容器を使用した作業を行い（ステップＳ３７）、取り出した容器をラックに戻す（ステップＳ３８）、これにより、戻された容器の情報が読み出され、サーバのデータベースに戻されたことが登録される。登録完了後、容器情報読取り装置からラックを取り出し（ステップＳＳ３９）、指定した保管場所へラックを格納し（ステップＳ４０）、一連の作業を終了する。
【００９３】
図３２は、容器登録抹消時の作業フローを示す。この場合は、管理ＰＣ上で、容器読取り装置管理ソフトウエアを起動し（ステップＳ４１）、容器抹消処理を選択し（ステップＳ４２）、抹消したい容器の情報を入力すると（ステップＳ４３）、ラック検索結果表示が行われるので、この検索結果表示に従い、保管場所（ラック保管棚）からラックを取り出してくる（ステップＳ４４）。そして、そのラックを容器情報読取り装置にセットすると（ステップＳ４５）、抹消対象の容器が検索され、その位置情報が表示される。検索結果表示に従い、ラック内部の指定位置から抹消する容器を取り出し（ステップＳ４６）、管理ＰＣ上で取り出した容器の抹消処理を行い（ステップＳ４７）、上記サーバのデータベースから当該容器情報を抹消する（ステップＳ４８）。抹消処理後、容器情報読取り装置からラックを取り出し（ステップＳ４９）、指定した保管場所へラックを格納して（ステップＳ５０）、一連の作業を終了する。
【００９４】
図３３は、容器格納位置変更時の作業フローを示す。この場合は、管理ＰＣ上で、容器読取り装置管理ソフトウエアを起動して（ステップＳ５１）、容器位置変更処理を選択し（ステップＳ５２）、格納位置を変更したい容器の情報を入力する（ステップＳ５３）。これにより、ラック検索結果表示が行われるので、この検索結果表示に従い、保管場所（ラック保管棚）からラックを取り出してくる（ステップＳ５４）。そして、そのラックを容器情報読取り装置にセットすると（ステップＳ５５）、位置変更処理対象の容器が検索され、その位置情報が表示される。検索結果表示に従い、ラック内部の指定位置から格納位置を変更する容器を取り出し（ステップＳ５６）、管理ＰＣ上で取り出した容器の格納位置処理を指示し（ステップＳ５７）、上記サーバのデータベースから当該容器の現在の位置情報を抹消する（ステップＳ５８）。続いて、ラックに対して変更する格納位置へ容器を格納する（ステップＳ５９）。これにより、上位サーバのデータベースに、変更した位置情報が登録される（ステップＳ６０）。登録完了後、容器情報読取り装置からラックを取り出し（ステップＳ６１）、指定した保管場所へラックを格納して（ステップＳ６２）、一連の作業を終了する。
【００９５】
次に、実際の処理の流れを、ラックに容器を登録する場合を例に取って説明する。
【００９６】
図３４に、本発明の容器情報読取り装置を用いて、ラックに容器を格納する時の管理システムソフトウエアのメインルーチン概要を示す。メインルーチン内部には、「ラック固有情報及び容器固有情報確認処理」、「容器登録時の行列情報取得処理」、および「新規格納容器の固有情報と位置情報登録処理」の3つのサブルーチンから構成される。メインルーチンは、最初に無線タグ読み取り電波を照射し、ラックに貼付された無線タグの情報を読み取る（ステップＳ７１）。次に、サーバのデータベースに対して、既に登録されている情報を問い合わせる（ステップＳ７２）。次に、無線タグ読み取り電波を停止し、容器位置検出センサが、容器挿入を検出するのを待つ（ステップＳ７３，Ｓ７４）。容器位置検出センサが容器の挿入を検知して容器登録口の行列位置を取得すると（ステップＳ７３）、無線タグ読み取り電波を照射し（ステップＳ７４）、ラックおよび容器に貼付された無線タグの固有情報を一括して読み取った後（ステップＳ７５）、一括読取りした情報を新規格納容器の位置情報をサーバへ送ってデータベースに登録し（ステップＳ７６）、電波を停止する（ステップＳ７８）。この時＜サーバのデータベースには、新規に格納した容器の情報、容器の格納位置情報およびラック固有情報がセットとなってデータベース上に登録される。以後、容器登録処理が終わるまで、ステップＳ７４〜Ｓ７７の処理をくり返し行う。
【００９７】
図３５に、「ラック固有情報及び容器固有情報確認処理」のサブルーチン内構成を示す。図３５において、全ての無線タグ固有情報を一括して読取り（ステップＳ８１）ラック固有情報を取得して（ステップＳ８２）、管理サーバデータベース上の登録データを問い合わせ（ステップＳ８３）、登録データの有無を判定する（ステップＳ８４）。登録データがない場合には、新規データベースを作成し（ステップＳ８５）、管理サーバのデータベース登録を実行して（ステップＳ８６）、一連の処理を終了する。また、ステップＳ８４において、登録データ有りと判定された場合には、過去のデータとの比較を行い（ステップＳ８７）、相違する点の有無を判断し（ステップＳ８８）、相違する点が有る場合には、修正の必要性を判断し（ステップＳ８９）、修正が必要な場合には、管理サーバのデータベースの内容を修正更新して（ステップＳ９０）、一連の処理を終了する。ステップＳ８８で相違点がなかった場合、ステップＳ８９で修正が不要だった場合には、いずれもその時点で一連の処理を終了する。
【００９８】
図３６に、「容器登録時の行列情報取得処理」のサブルーチン内構成を示す。図３６において、容器位置検出センサからの位置情報（ラック内の行、列情報）を取得すると（ステップＳ９１）、行、列の情報からラック内での位置を座標として記録し（ステップＳ９２）、管理サーバデータベースへ新規格納容器の位置情報として登録し（ステップＳ９３）、一連の処理を終了する。
【００９９】
図３７に、「新規格納容器の固有情報と位置情報登録処理」のサブルーチン内構成を示す。図３７において、新規に加わった無線タグ情報を取得した場合（ステップＳ１０１）、新規ＩＤか判断し（ステップＳ１０２）、新規ＩＤの場合には、新規格納容器の位置情報を取得し（ステップＳ１０３）、管理サーバ内で新規無線タグ情報と位置情報を紐付けして登録し（ステップＳ１０４）、管理サーバデータベースへ新規格納容器位置として登録し（ステップＳ１０５）一連の処理を終了する。
【０１００】
ステップＳ１０２で、新規ＩＤではないと判定された場合には、まず無線タグ無しの容器を格納したのかを判定し（ステップＳ１０６）、無線タグ無しの容器だった場合には、無線タグ読取りエラーを通知して（ステップＳ１０７）、エラー処理を実施し（ステップＳ１０８）、一連の処理を終了する。ステップＳ１０６で無線タグ無しの容器が格納されたと判定された場合には、無線タグ無し容器が格納されたことを通知し（ステップＳ１０９）、ＲＦ−ＩＤ無しの容器として登録するか判定し（ステップＳ１１０）、登録する場合には、管理サーバ内で当該位置情報は無線タグ無し容器と登録し（ステップＳ１１１）、一連の処理を終了する。ステップＳ１１０で容器を登録しないと指定された場合には、登録処理をキャンセルし（ステップＳ１１２）、当該容器の取り出しを指示して（ステップＳ１１３）、一連の処理を終了する。
【０１０１】
次に、本発明の容器情報読取り装置を使用して、既に登録、保存してある容器から、必要な容器を取り出してくる場合の動作について示す。管理ＰＣ上で管理システムソフトウエアを動作させ、容器検索処理を選択する。図３８に、その一例を示す。ここでは、冷凍庫に保管されている試験管から、特定の試験管を取り出してくる場合を想定している。まず取り出してくる試験管の検索情報を入力する。本例では、試験管に貼付された無線タグの固有情報と、サーバのデータベース上でその固有情報に紐付けされている各種情報のいずれかを入力することで、目的となる試験管を検索するよう構成されている。検索のキーワードを入力して検索を実行させると、サーバのデータベース上の登録されている情報から、目的となる試験管情報が検索され、管理ＰＣ画面上に出力される。この時、あいまい検索を実施した場合には、候補となる試験管が複数表示されるため、さらに絞り込み検索を行うか、表示された候補の中から目的となるものを直接指定する。
【０１０２】
図３９は、検索が実行され目的の試験管がデータベース上に見つかったところを示している。サーバのデータベースに登録されている検索対象試験管の各種情報が、一覧となって表示される。検索した試験管が正しければ、検索結果の表示に従って、試験管が格納されているラックが保管されている場所を確認する。画面では、当該ラックの保管場所として、保管先の冷凍庫の番号、冷凍庫内の棚の番号、ラックが置かれている棚の列と段の情報が表示される。これらの情報から、試験管を格納したラックを保管場所から取り出してくる。
【０１０３】
図４０は、取り出してきたラック９を、本発明の容器情報読取り装置にセットしたところを示している。本例では、ラック９に6本の検体が入っており、このうち1本が目的となる試験管３４である。容器情報読取り装置にラック９がセットされたことをラックマウント検出センサが検出すると、自動的に無線タグ読み取り電磁波が照射され、ラック９およびラック９に格納されている容器の無線タグを一括読取りし、上位データベースの登録内容と相違無いかどうかを判断する。
【０１０４】
データの内容が正しければ、図４１に示したように、管理ＰＣ画面上にラック内部に格納されている試験管一覧が、格納位置情報と共に表示される。ラック９に格納されている試験管一覧から、目的となる試験管を選ぶ。本例では、3行D列に格納されているSMP0003の試験管が目的の試験管だとする。画面上には目的の試験管が格納されている位置情報が表示されているので、それに従ってラック９から当該試験管を取り出せばよい。図４２に、目的とする容器３４を取り出した状況を示す。
【０１０５】
図４３に、目的の試験管を取り出した後の、管理ＰＣ画面の表示を示す。容器検索時は、常時もしくは一定時間間隔でラックの中に入っている試験管の固有情報を無線タグ読み取り電磁波で一括読取りしている。この状態で試験管を1本取り出すと、サーバのデータベースに登録されている試験管情報より一括読取りした試験管情報の方が、1本だけ足りなくなる。サーバでは、足りない試験管が取り出されたものと判断し、該当する試験管の状態表示を「取り出し中」に変更する。
【０１０６】
図４４に、取り出した試験管を元の位置に戻した時の、容器情報読取り装置とラックの状況を示す。
【０１０７】
図４５に、取り出した試験管を元の位置に戻した後の、管理ＰＣの画面例を示している。前述した通り、容器検索処理中では、容器情報読取り装置はラック９およびラック９内部に格納されている試験管の固有情報を、無線タグ読み取り電磁波で常時もしくは一定時間間隔で一括読取りしているため、容器をラック９に戻すと、戻された試験管の固有情報が自動的に検出される。これを受けてサーバでは、当該試験管の状態を「取り出し中」から「登録済み」に変更する。なお、試験管を元の位置に戻す際は、管理ＰＣの画面に表示されたラック内の位置情報に従って格納する。この時、本発明の第一の実施例のように、可動式ブリッジを使用した場合には、取り出した容器を戻す際に再度可動式ブリッジを通して格納することで、試験管を元の位置に戻したことを確認する。一方、本発明の第二の実施例のように、容器位置検出センサがラック底面に搭載されている場合には、容器をラックに戻す際に自動的に容器の位置情報が得られ、元の位置に正しく戻されたかどうかが確認できる。
【０１０８】
図４６は、本発明の物品管理システムで使用するラック保管棚の構成例を、透視図で示している。ここでは、2列3段構成の保管棚４８を例として取り上げた。保管棚内部には6箇所の保管区画が存在する。各区画には、無線タグ読み取りアンテナ４９が搭載されており、区画内部に格納されたラック７の固有識別情報を随時読み取ることが出来るよう構成されている。各保管区画は電磁波を遮蔽する素材で区切られており、他の区画のラック固有識別情報を読み取ってしまう可能性は無い。ラック保管棚４８の空き区画にラック７を格納すると、棚に搭載された無線タグ読取りアンテナ４９がラック固有識別情報を読み取る。この際、ラック７に搭載されている容器１０の固有識別情報も同時に一括して読み取られるが、運用初期設定の段階で既にラック固有識別情報はサーバのデータベース上に登録済みなので、ここではラック固有識別情報のみに着目すればよい。無線タグ読み取りアンテナ４９がデータベース上の登録されているラック固有識別情報を取得できている間は、ラック７は保管棚４８の該当区画に保管されている状態であることを示している。読み取ることが出来なくなった場合には、該当区画からラック７が取り出された状態もしくは該当区画が空の状態であることを示している。
【０１０９】
図４７に、管理ＰＣの画面上でのラック保管棚５０の使用状況例を示す。図４７では、おのおのの保管棚が設置されている場所の一覧が示されている。ここで、状況を確認したい保管棚の番号を選択する。この例では、保管棚0001の使用状況を確認している。保管棚0001は、検体保管棟の1階101号室にあるA冷蔵庫に設置されていることが表示されている。保管棚0001をクリックすると、図４８に示したように、照会を行った時点での棚内部の使用状況が表示される。図４８では、一例として2列3段構成で6個の保管区画を有する棚の使用状況を示している。この図では、A列3段目とB列2段目の区画は空いており、他の区画には、それぞれ表示されている番号のラックが格納されていることを示している。このラック保管棚に、新たにラック固有番号R0001とR0005の、2つのラックを格納する場合を考える。
【０１１０】
図４９（ａ）は、図４０で管理ＰＣから確認したラック保管棚0001を前面から見た図を示ししている。ラック保管棚４８には6つの格納区画があり、それぞれの区画の前には列と段を示す表示がある。またそれぞれの格納区画の状態が、青と赤の2つのランプ５０で表示されている。本例では、A列3段とB列2段以外はラック７が保管されているため、区画前面の表示ランプ５０は、収納済みを示す赤色が点灯している。A列3段とB列2段の区画の前面ランプ５０は、空きを示す青色が点灯している。
【０１１１】
ラック固有番号R0001のラック７をA列3段の区画に格納すると、区画内に設けられた無線タグ読み取りアンテナからラック固有情報R0001が読み取られてサーバ上のデータベースにラック保管場所を登録する。同時に、区画前面のランプ５０が青から赤へ変更し、区画にラック７が格納されたことを表示する。次にR0005のラック７をB列2段の区画に格納した場合も、同様の動作が行われる。図４９（ｂ）は、R0001のラックをA列3段の区画に格納した時のラック前面の状態を示しており、図４９（ｃ）は、R0005のラックをB列2段の区画に格納した時のラック前面の状態を示している。
【０１１２】
図５０は、ラック保管棚0001の2つの空き区画に全てラックを格納した場合の、保管棚の使用状況を管理ＰＣで確認した時の画面である。図４８で空きとなっていた2つの区画にラック７が格納されたため、それぞれの区画に格納されたラック固有番号が表示されている。ラック保管棚４８の使用状況は、ラック保管棚４８の各区画に搭載された無線タグ読み取りアンテナにより、随時ラック固有情報を読み取ることで、リアルタイムに行われており、ラックを出し入れした際には、すぐに管理ＰＣの画面上に反映される。
【０１１３】
以上の例では、ラック保管棚の任意の空き区画にラックを格納する際の動作を示した。しかし、運用によっては、ラックを保管する区画を、予め決めておきたい場合もある。以下にその場合の運用方法を示す。
【０１１４】
図５１は、ラック保管棚の例を示している。既にラックが格納されている区画は、前面表示ランプ５０が赤色に点灯し、空き区画は青色に点灯している。この保管棚４８に、ラック固有番号R0001のラック７を、A列3段の区画に格納する場合を考える。
【０１１５】
図５１（ａ）は、ラック格納処理を開始する前の、保管棚４８の内部状況を示している。保管棚４８では、A列3段とB列2段の2つの区画が空いており、前面表示ランプ５０は青色が点灯している。その他の区画はラックが登録されているので、前面表示ランプは赤色が点灯している。ラック固有番号R0001をA列3段の区画に格納する場合、管理ＰＣ上から予め当該ラック７の格納場所としてA列3段を指定しておく。図５１（ｂ）は、R0001の保管場所をサーバへ指定した時の、保管棚１８の状態を示している。A列3段の区画はラック７の格納が指定されたため、前面表示ランプ５０が赤色に点滅し、指定したラック７を格納する場所であることを示している。図５１（ｃ）は、指定通りにラック固有番号R0001をA列3段に格納した後の状態を示している。保管棚の区画に設けられた無線タグ読み取りアンテナが、A列3段の区画にR0001のラック７が格納されたことを検出して、サーバのデータベースに登録すると共に、前面表示ランプ５０が赤い点滅から赤い点灯へと変わり、同区画がラック７を保管中であることを示す。図５２に、上記の運用を行った後の、管理ＰＣの画面を示す。A列3段の区画にR0001のラック７が格納されていることを示している。
【０１１６】
一方、図５１（ｄ）は、ラック７を指定通りの区画に格納しなかった場合を示している。この例では、A列3段に格納するはずのR0001ラック７を、誤ってB列2段に格納してしまった場合を示している。B列2段では、ラック７の格納予定が無いにもかかわらずR0001という固有番号のラック７が検出されたので、サーバのデータベースへエラーを通知すると共に、前面表示ランプ５０の赤と青が同時に点灯し、ユーザに格納ミスを通知する。一方、本来格納する場所であるA列3段の前面表示ランプ５０は、赤いランプが点滅し、ラック７を入れるよう指示する。図５３に、ラック７の格納区画を誤った場合の、管理ＰＣの画面表示を示す。B列2段の区画には、格納エラーの表示と共に、正しい格納先の区画が示される。A列3段の区画には、格納を予定しているR0001を入れるよう、指示が表示されている。
【０１１７】
以上のように、上記実施形態の容器管理システムは、ラックに容器を格納する際に使用する容器情報読取り装置、登録情報を管理するデータベース構築用のサーバ、容器の登録、更新、変更等の作業を行う手段（例えば管理ＰＣ）、保管棚にてラックの格納を自動的に検出するラック情報読取り装置で構成される。これらの装置は、例えばネットワークを介して常に接続されている。
【０１１８】
本実施形態では、容器とラックそれぞれに無線タグを貼付し、ラック識別情報、容器識別情報を付加した状態で運用する。無線タグにはラベルが貼付されており、ラベル上には無線タグに格納されている固有情報を視覚的に確認できるよう、文字とバーコードで固有情報が印刷されている。こうすることで、もし無線タグ本体が破壊された場合でも、ラベルに印刷された情報を元にラックもしくは容器を特定することが可能となる。本発明は無線タグのみでの運用も可能であるが、ラベルに文字列およびバーコードも付加することで、より一層トレーサビリティーの向上を図ることが可能となる。
【０１１９】
容器を格納するラックの形状は、予め規定しておく。ラックの四隅のうち、決められた位置に、ラックを特定するための無線タグを貼付する。本発明の管理システムで使用するラックでは、ラック内の4つの隅のうちの決められた隅に無線タグを貼付したものを用いる。この無線タグを貼付する場所を、ラックの原点として規定する。ラックの格納場所は、行列情報での管理方法もしくはラック格納位置にそれぞれ連続する番号を付与する管理方法がある。
【０１２０】
行列情報での管理例として、ラックの行を数値で、ラックの列をアルファベットで表した場合を考える。無線タグを貼付したラック原点は（1行A列）に相当する。例えば、使用するラックが5行×10列の試験管を格納できるとする。この時、ラックの行には1〜5の5つの数値を、またラックの列にはA〜Jの10個のアルファベットを割り振る。このようにして、5行×10列のラック格納位置に、（1行A列）〜（5行J列）までの行列情報を付与して管理を行う。
【０１２１】
一方、連続する番号を付与する管理例として、ラック原点を1番とし、1行ずつ連続する番号を与えて格納場所を指定する場合が考えられる。この場合、使用するラックが前述した5行×10列の試験管を格納できるものとすると、ラック原点が01番の格納位置に相当する。以下、1列目に01番〜10番までの番号を付与し、2列目に11番〜20番までの番号を付与する。このようにして、5行×10列のラック格納位置に、01番〜50番までの番号を付与して位置管理を行う。
【０１２２】
ラックに格納した容器をサーバのデータベース上で管理する場合には、ラック固有情報、容器固有情報、容器の格納場所の行列位置情報およびラックを保管した保管棚の位置情報等を紐づけた形で行う。
【０１２３】
また、容器情報読取り装置には、装置内部に、ラックを決められた位置に設置するための枠と、ラックが設置されたことを検出するラックマウント検出センサとが設けられている。また、ラック原点が決められた場所に設置されたかどうかを検出する、ラック格納方向検出センサも設けられている。ラックを容器情報読取り装置に入れる際は、ラック原点を容器情報読取り装置内部の決められた場所に設置する。この際、上記のラックマウントセンサがラックの格納を検出すると同時に、上記のラック格納方向検出センサにより、ラックが正しい方向に設置されたかどうかを確認する。容器情報読取り装置内部には、無線タグ情報読取りアンテナとその制御装置が格納されている。無線タグ読み取り電磁波を装置外部に漏らさないよう、容器情報読取り装置は箱形の筐体で、装置各面は電磁波を遮蔽する素材で構成されている。容器情報読取り装置へのラックの着脱は、装置上部から行う。
【０１２４】
また、容器情報読取り装置は、ネットワークを介して上位に設置されたデータベース用のサーバに接続した状態で使用する。容器情報読取り装置を用いてラック内部に容器を格納すると、無線タグに格納されているラック固有の識別情報、容器固有の識別情報に加え、容器のラック内部での位置情報が、ネットワークを介してリアルタイムでサーバ上に登録、更新される。また、サーバのデータベースを管理するための管理ＰＣも、ネットワークを介して接続されている。この管理ＰＣ画面では、ラックへの容器格納作業や既に格納されている容器の検索作業、ラック内部での容器の移動作業及び容器の登録情報抹消作業を行うことができる。さらに、ラックを格納するラック保管棚も、ネットワークに接続された状態で設置され、ラック保管棚に出し入れされたラックを自動的に検出し、サーバのデータベースにリアルタイムに状況を反映する。
【０１２５】
ラックに容器を格納する前に、新規ラックの登録処理を行う必要がある。新規ラックを登録する場合には、容器が格納されていない空のラックを容器情報読取り装置に設置する。容器情報読取り装置では、ラックの固有情報が検出され、新規ラックとしてサーバのデータベースに登録される。
【０１２６】
また、容器情報読取り装置は、例えば装置内部に設けられたラックマウントセンサにより、ラックが装置内部に設置されたことを検出すると同時に、ラック格納方向検出センサでラックが正しい方向に設置されたことを確認する。その後、自動的にラックに貼付されている無線タグおよび格納されている容器に貼付されている無線タグの一括読取り動作を行う。ラックに貼付されている無線タグの情報は、ラック固有の識別情報として用いられる。ラックが空の状態で、容器を新規に登録する場合には、ラック固有の識別情報のみが読み取られて、データベースサーバに新規ラックとしてデータベースに登録される。既にデータベース上に登録されているラックが設置された場合には、サーバのデータベースから管理ＰＣ画面上へ、該当するラックの登録情報が呼び出される。この時、データベース上の登録情報と、無線タグ一括読取りで取得した情報とを照合し、相違が無いかどうかを確認すると共に、相違が有った場合には、既存情報の更新、変更を行う。
【０１２７】
また、容器情報読取り装置には、ラック内のどの格納位置に容器を格納したかを自動的に検出する容器位置検出センサが設けられている。ラックに容器を1本ずつ格納すると、自動的に挿入した容器のラック内部での位置情報を取得する。この位置情報は、前述した行列情報もしくは連続した番号情報のどちらでも構わない。以下の記述では、ラック内での位置情報を行列情報として管理する場合を考える。
【０１２８】
また、容器情報読取り装置には、容器をラックに格納した際に、それを検知するための容器位置検出センサが内蔵されている。ラックに容器を挿入すると、ラックに容器が挿入されたことが、前記センサによって自動的に検出される。容器情報読取り装置では、この容器位置検出センサの反応を受け、容器の格納位置情報を自動的に取得すると同時に、サーバのデータベースへ取得した新規容器の位置情報を通知する。その後、無線タグ読み取りアンテナから無線タグ読み取り電磁波を、自動的に1回もしくは複数回間欠して照射し、ラック内部に格納されている容器に貼付された無線タグ情報を一括して読み取る。容器をラックに格納する毎に、容器情報読取り装置はラック内部の無線タグ情報を一括して読取り、その都度読取り結果をサーバのデータベースに通知する。容器を1個格納する毎に、前回一括読取りを行った時の結果と比較することで、新規に追加された容器固有の識別情報が判る。サーバのデータベースでは、この追加された容器固有の識別情報と、その時取得した容器の位置情報とを紐付けして、新規容器の位置情報としてデータベース上への登録を行う。
【０１２９】
以上の動作を繰り返し行うことで、ラックに順次容器を格納していく。容器を格納した位置情報と、格納した容器の識別情報は、サーバのデータベース上で自動的に紐付けされて登録される。容器情報読取り装置側では、容器をラックの格納したい場所に1本ずつ入れるだけで容器の識別情報と位置情報を取得することができる。
【０１３０】
容器の格納作業が終わったラックは、容器情報読取り装置から取り出されて、ラック保管棚に格納し保管される。ラック保管棚には無線タグ読み取りアンテナが搭載されている。ラックを保管棚に格納する際に、この無線タグ読み取りアンテナがラック固有情報を自動的に読み取り、ラックを保管した棚の場所と位置情報をサーバのデータベースに反映する。
【０１３１】
次に、多数保存されている容器から、特定の1個を取り出してくる場合を考える。サーバにネットワークを介して接続された管理ＰＣで、取り出したい容器の固有情報もしくは検索キーワードを入力し、サーバ上のデータベースに登録されている当該容器の情報を検索する。目的の容器を検索すると、サーバのデータベースより、該当する容器が格納されているラック保管棚の設置場所、ラック固有の識別情報、容器固有の識別情報および容器が格納されているラック内の位置情報が、管理ＰＣの画面上に出力される。これらの情報を元に、先ずラックが保管されている保管棚から該当するラックを取り出す。
【０１３２】
ラック保管棚から取り出されたラック固有の識別情報は、ラック保管棚に搭載された無線タグ読み取りアンテナで読み取ることができなくなる。これにより、当該ラックが取り出されたことが自動的に検出され、サーバ上のデータベースにラックが取り出されたことを登録する。
【０１３３】
取り出してきたラックは、本発明の容器情報読取り装置に設置する。容器情報読取り装置内部に設けられたラックマウントセンサとラック格納方向検出センサが、ラックが容器情報読取り装置に正しく設置されたことを検出すると、無線タグ一括読取り動作を行い、ラック固有情報、容器固有情報をデータベースサーバへ送信し、登録されている内容と相違無いかどうかを判断する。管理ＰＣの画面には、当該ラックに格納されている容器とその格納位置が一覧となって表示されるので、目的の容器が格納されている行列情報表示に従って、ターゲットとなる容器を取り出す。
【０１３４】
容器検索時は、容器情報読取り装置は常に格納されたラック内の無線タグ情報を読み取っている。従って、目的の容器をラックから取り出すと、取り出した容器に貼付されている無線タグ情報が読み取れなくなる。これをサーバのデータベースに通知することで、管理ＰＣの画面上に該当する容器が「保存中」から「取り出し中」に変更される。
【０１３５】
取り出した容器を元の場所に戻すには、管理ＰＣの画面上に「取り出し中」と表示されている容器の行列位置に容器を戻す。この時、容器情報読取り装置に搭載されている容器位置検出センサにより、容器が元の場所に正しく戻されたかどうかが確認される。容器をラックの元の格納位置に戻すと、サーバのデータベースが更新されると共に、管理ＰＣの画面表示が「取り出し中」から「保存中」に更新される。
【０１３６】
取り出した容器をラックに戻さず廃棄する場合には、サーバのデータベースから当該容器の情報を抹消する必要がある。容器の抹消処理は、容器を取り出した後、管理ＰＣの画面から「取り出し中」となっている容器を「抹消」に変更する。この動作により、サーバのデータベースからは該当する容器の登録情報が消去される。
【０１３７】
ラックから取り出した容器を別の格納場所に移動するためには、サーバのデータベースから当該容器の格納位置情報を変更する必要がある。容器の格納位置変更処理は、容器を取り出した後、管理ＰＣの画面から「取り出し中」となっている容器を、格納位置変更に指定し、容器を変更したい格納位置に挿入する。容器情報読取り装置に搭載されている容器位置検出センサが、移動した格納位置を自動的に取得し、サーバのデータベースの該当する容器の登録位置情報が自動的に変更される。
【０１３８】
ラックに格納されている容器を使った一連の作業が終わったら、ラックを保管棚に戻す。この時、ラックを保管棚の元の場所に戻すと、保管棚に搭載された無線タグ読み取りアンテナがラック固有の識別情報を読取り、ラックが正常に元の場所に戻ったことをサーバのデータベースに登録する。しかし、ラックを保管棚の以前とは異なる場所に格納した時は、ラック保管場所としてデータベースに登録されている情報と異なる。この場合は、ラックが元有った場所に戻されていないことを通知すると共に、元の場所に戻すか、もしくは保管場所を変更するかの処理を行う。
【０１３９】
上記実施形態により、以下に示す効果が期待できる。
【０１４０】
まず、容器をラックに格納する際、本発明の容器情報読取り装置を使用することにより、容器をラックに格納する作業だけで、各容器のラック内部での格納位置情報をサーバのデータベースに登録することができる。従来方法でこの情報を登録する場合には、容器をラックに格納した後、手作業で格納したラック内部の位置情報を入力する必要があった。これらを自動化することによって、作業効率の向上とミスの減少が図られる。
【０１４１】
次に、ラック保管棚に無線タグ読み取りアンテナを搭載し、保管棚に出し入れするラックの固有情報を把握することで、保管棚におけるラックの保管状況を常に自動的に把握することができる。
【０１４２】
次に、ラックに格納した容器の検索が容易になる。従来の方法では、容器のラック内部での位置情報や、ラックを保管したラック保管棚の場所の情報が登録されていなかった。そのため、数年から数十年経過した後で、特定の容器を取り出してくる場合には、多大な工数が発生していた。本発明のシステムを用いることで、管理ＰＣ画面上で検索したい容器の個別情報を入力するだけで、ラックが保管されているラック保管棚の場所やラック内部での容器の位置情報を、簡単に取得することができる。
【０１４３】
次に、登録、管理されている容器の格納場所の変更や、容器そのものの登録情報の抹消といった一連の管理が、本発明の容器情報読取り装置を使用すると、簡単に行うことができる。格納場所を変更したい容器が収納されているラックを、本発明の容器情報読取り装置にセットする。この状態で格納場所を変更したい容器を取り出し、一回データベースから登録を抹消した後、再度新しい場所へ格納することで、当該容器の格納位置情報を簡単に変更することができる。
【０１４４】
以上のことから、本発明によれば、第１に、ラック内での容器の格納位置情報を自動的に取得してサーバのデータベースに登録することができ、これによって作業の簡素化と効率化を図り、登録時の誤りを減少させることのできる容器管理システムを提供することができ、第２に、ラックを保管棚に配置する際に、自動的にラック管理情報をサーバのデータベースに登録し、ラック内の容器管理情報と合わせて管理することのできる容器管理システムを提供することができる。
【０１４５】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成を削除してもよい。さらに、異なる実施形態例に亘る構成要素を適宜組み合わせてもよい。
【産業上の利用可能性】
【０１４６】
本発明は、特に無線タグを試験管、真空採血管や、それらを格納するラックに取り付け、ラック内に格納した各物品が、どの位置に格納されているのかを管理登録すると共に、ラックを保管した場所とも紐づけて管理することで、後日指定した物品を取り出してくる際の利便性を向上させる管理システムに好適するものである。
【符号の説明】
【０１４７】
１…サーバ
２…ネットワーク（インターネット、イントラネット）
３…容器情報読取り装置本体
４…システム管理用ＰＣ
５…容器格納ラック
６…無線タグ付き容器
７…容器格納ラック
８…無線タグ読み取りアンテナ内蔵ラック保管棚
９…試験管ラック
１０…無線タグが貼付された試験管
１１…試験管ラックに貼付された、ラック固有情報を格納した無線タグ
１２…試験管に貼付された、試験管固有情報を格納した無線タグ
１３…無線タグ読み取りアンテナ
１４…容器位置検出センサ（可動式ブリッジ）
１５…ラック位置固定用の枠
１６…列番号表示
１７…容器登録口
１８…列番号確認用窓
１９…行番号表示
２０…可動式ブリッジ移動用ガイドレール
２１…ラックマウント検出センサ
２２…容器位置検出センサ（固定式ブリッジ）
２３…ラックトレイ
２４…ラックトレイ移動用レバー
２５…電磁波を遮蔽する材質の筐体
２６…電磁波遮蔽カバー
２７…発光ダイオード
２８…フォトセンサ
２９…無線タグ読み取り電波照射領域
３０…位置情報取得処理装置（マイクロプロセッサ）
３１…列検出用接点スイッチ
３２…行検出用センサスイッチ
３３…サーバへの位置情報信号出力
３４…検索された試験管
３５…返却位置に格納された試験管
３６…磁石
３７…磁気センサ（ホール素子等）
３８…ソレノイド
３９…プランジャピン
４０…シャッター
４１…容器挿入ユニット
４２…容器挿入ユニット移動用ガイドレール
４３…容器挿入ユニット列確認用窓
４４…容器挿入ユニット列確認用窓
４５…無線タグ読み取りアンテナ
４６…小型無線タグ読み取りアンテナ
４７…小型無線タグ読み取りアンテナの電波照射領域
４８…無線タグ読み取りアンテナ内蔵ラック保管棚
４９…無線タグ読み取りアンテナ
５０…ランプ
５１…ラック格納方向検出センサ
５２…ラック行表示
５３…ラック列表示
５４…探針（プローブ）
５５…スイッチ
５６…フォトセンサユニット
５７…フォトセンサユニットの発光部
５８…フォトセンサユニットの受光部
５９…光量センサユニット
６０…光量センサ（CdSセル等）
６１…超音波センサユニット
６２…超音波発信部
６３…超音波受信部
６４…圧力センサスイッチ
【図１】
2014190864.tif 000003
【図２】
2014190864.tif 000004
【図３】
2014190864.tif 000005
【図４】
2014190864.tif 000006
【図５】
2014190864.tif 000007
【図６】
2014190864.tif 000008
【図７】
2014190864.tif 000009
【図８】
2014190864.tif 000010
【図９】
2014190864.tif 000011
【図１０】
2014190864.tif 000012
【図１１】
2014190864.tif 000013
【図１２】
2014190864.tif 000014
【図１３】
2014190864.tif 000015
【図１４】
2014190864.tif 000016
【図１５】
2014190864.tif 000017
【図１６】
2014190864.tif 000018
【図１７】
2014190864.tif 000019
【図１８】
2014190864.tif 000020
【図１９】
2014190864.tif 000021
【図２０】
2014190864.tif 000022
【図２１】
2014190864.tif 000023
【図２２】
2014190864.tif 000024
【図２３】
2014190864.tif 000025
【図２４】
2014190864.tif 000026
【図２５】
2014190864.tif 000027
【図２６】
2014190864.tif 000028
【図２７】
2014190864.tif 000029
【図２８】
2014190864.tif 000030
【図２９】
2014190864.tif 000031
【図３０】
2014190864.tif 000032
【図３１】
2014190864.tif 000033
【図３２】
2014190864.tif 000034
【図３３】
2014190864.tif 000035
【図３４】
2014190864.tif 000036
【図３５】
2014190864.tif 000037
【図３６】
2014190864.tif 000038
【図３７】
2014190864.tif 000039
【図３８】
2014190864.tif 000040
【図３９】
2014190864.tif 000041
【図４０】
2014190864.tif 000042
【図４１】
2014190864.tif 000043
【図４２】
2014190864.tif 000044
【図４３】
2014190864.tif 000045
【図４４】
2014190864.tif 000046
【図４５】
2014190864.tif 000047
【図４６】
2014190864.tif 000048
【図４７】
2014190864.tif 000049
【図４８】
2014190864.tif 000050
【図４９】
2014190864.tif 000051
【図５０】
2014190864.tif 000052
【図５１】
2014190864.tif 000053
【図５２】
2014190864.tif 000054
【図５３】
2014190864.tif 000055
【手続補正書】
【提出日】平成25年6月24日(2013.6.24)
【手続補正１】
【補正対象書類名】特許請求の範囲
【補正対象項目名】全文
【補正方法】変更
【補正の内容】
【特許請求の範囲】
【請求項１】
それぞれ容器識別情報を発する無線タグが貼付される複数の容器と、
行列方向に区分されて行番号及び列番号により識別され、それぞれ前記容器を上方開口部から出し入れ自在に形成される複数の格納領域を有するラックと、
前記複数の容器それぞれに割り当てられる容器識別情報を登録し、前記容器識別情報に前記容器に関する個別情報を紐づけて登録することでデータベースを構築するサーバと、
前記複数の格納領域のうち行方向に配列される格納領域それぞれの出し入れ口対向部に前記容器が出し入れ自在に通過可能な容器登録口が形成されるブリッジを備え、前記ブリッジを前記ラックの上部開口面にて前記複数の格納領域の任意の列の上部に位置させる容器出し入れ補助手段と、
前記ブリッジのいずれかの容器登録口を前記容器が通過したとき、通過した容器の前記無線タグから前記容器識別情報を取得する容器識別情報取得手段と、
前記ブリッジのいずれかの容器登録口を前記容器が通過したとき、前記容器が通過した容器登録口に対向する格納領域の行番号と前記ブリッジが位置する列番号とを検出して、前記出し入れされた格納領域の容器位置情報を取得する位置情報取得手段と、
前記データベースから前記容器識別情報取得手段で取得される前記容器識別情報を検索し、検索された容器識別情報に紐付けするように前記位置情報取得手段で取得される容器位置情報を前記データベースに登録する登録手段と
を具備する容器管理システム。
【請求項２】
さらに、前記ラック毎に装備され、ラック識別情報を提示するラック識別情報提示手段と、
前記ラックに対する前記容器の出し入れに際して前記ラック識別情報を取得するラック識別情報取得手段を備え、
前記登録手段は、前記ラック識別情報取得手段で取得される前記ラック識別情報を前記容器位置情報と共に前記容器識別情報に紐付けするように前記データベースに登録する請求項１記載の容器管理システム。
【請求項３】
前記ラック識別情報取得手段は、前記複数のラックに前記ラック識別情報を発する無線タグを貼付しておき、前記容器識別情報取得手段による前記容器識別情報の読み出し時に、前記ラックに貼付される無線タグから前記ラック識別情報を読み出す請求項２記載の容器管理システム。
【請求項４】
さらに、前記複数のラックが配列される複数の保管区域を備え、前記複数の保管区域それぞれには予め割り当てられる区域情報を提示する区域情報提示手段を備える保管棚と、
前記保管棚に対する前記ラックの出し入れに際して、当該ラックのラック識別情報と出し入れされた保管区域の区域情報とを、保管管理情報として取得する保管管理情報取得手段を備え、
前記登録手段は、前記保管管理情報の取得時に、前記データベースから当該保管管理情報中のラック識別情報を検索し、検索されたラック識別情報に前記保管管理情報中の区域情報を紐付けして前記容器識別情報に紐付けされた個別情報及び容器位置情報と共に前記データベースに登録する請求項２記載の容器管理システム。
【請求項５】
前記登録手段は、前記容器を前記ラックに入れるときは前記容器識別情報に前記位置情報を紐付けするように新規登録し、前記容器を前記ラックから出すときは前記容器識別情報に紐付けされる容器位置情報を抹消登録し、前記容器を前記ラックから取り出して他の位置に入れるときは前記容器識別情報に紐付けされる位置情報を更新登録する請求項１記載の容器管理システム。
【請求項６】
前記登録手段は、前記ラックを前記保管棚の保管区域に配置するときは前記容器識別情報に紐付けされる容器の個別情報及び容器位置情報と前記ラック識別情報に区域情報を紐付けするように新規登録し、前記ラックを前記保管棚の保管区域から取り出すときは前記ラック識別情報に紐付けされる区域情報を抹消登録し、前記ラックを前記保管棚から取り出して他の位置に入れるときは前記ラック識別情報に紐付けされる前記区域情報を更新登録する請求項４記載の容器管理システム。
【請求項７】
それぞれ容器識別情報を発する無線タグが貼付される複数の容器と、
行列方向に区分されて行番号及び列番号により識別され、それぞれ前記容器を上方開口部から出し入れ自在に形成される複数の格納領域を有するラックと、
前記複数の容器それぞれに割り当てられる容器識別情報を登録し、前記容器識別情報に容器に関する個別情報を紐づけて登録することでデータベースを構築するサーバとを備える容器管理システムに用いられ、
前記複数の格納領域のうち行方向に配列される格納領域それぞれの出し入れ口対向部に前記容器が出し入れ自在に通過可能な容器登録口が形成されるブリッジを備え、前記ブリッジを前記ラックの上部開口面にて前記複数の格納領域の任意の列の上部に位置させる容器出し入れ補助手段と、
前記ブリッジのいずれかの容器登録口を前記容器が通過したとき、通過した容器の前記無線タグから前記容器識別情報を取得する容器識別情報取得手段と、
前記ブリッジのいずれかの容器登録口を前記容器が通過したとき、前記容器が通過した容器登録口に対向する格納領域の行番号と前記ブリッジが位置する列番号とを検出して、前記出し入れされた格納領域の容器位置情報を取得する位置情報取得手段と、
前記データベースから前記容器識別情報取得手段で取得される前記容器識別情報を検索し、検索された容器識別情報に紐付けするように前記位置情報取得手段で取得される容器位置情報を前記データベースに登録する登録手段と
を具備する容器管理システムの容器情報読取り装置。
【請求項８】
それぞれ容器識別情報を発する無線タグが貼付される複数の容器と、
行列方向に区分されて行番号及び列番号により識別され、それぞれ前記容器を上方開口部から出し入れ自在に形成される複数の格納領域を有する複数のラックと、
前記複数のラックが配列される複数の保管区域を備え、前記複数の保管区域それぞれには予め割り当てられる区域情報を提示する区域情報提示手段を備える保管棚と、
前記複数の容器それぞれに割り当てられる容器識別情報を登録し、前記容器識別情報に前記容器に関する個別情報を紐づけて登録することでデータベースを構築するサーバと、
前記複数の格納領域のうち行方向に配列される格納領域それぞれの出し入れ口対向部に前記容器が出し入れ自在に通過可能な容器登録口が形成されるブリッジを備え、前記ブリッジを前記ラックの上部開口面にて前記複数の格納領域の任意の列の上部に位置させる容器出し入れ補助手段と、
前記ブリッジのいずれかの容器登録口を前記容器が通過したとき、通過した容器の前記無線タグから前記容器識別情報を取得し、前記容器が通過した容器登録口に対向する格納領域の行番号と前記ブリッジが位置する列番号とを検出して、前記出し入れされた格納領域の容器位置情報を取得し、前記データベースから前記容器識別情報を検索し、検索された容器識別情報に紐付けするように前記容器位置情報を前記データベースに登録する容器情報登録手段と
を具備する容器管理システムに用いられ、
前記保管棚に対する前記ラックの出し入れに際して、当該ラックのラック識別情報と出し入れされた保管区域の区域情報とを、保管管理情報として取得する保管管理情報取得手段と、
前記保管管理情報の取得時に、前記データベースから当該保管管理情報中のラック識別情報を検索し、検索されたラック識別情報に前記保管管理情報中の区域情報を紐付けして前記容器識別情報に紐付けされた個別情報及び容器位置情報と共に前記データベースに登録するラック情報登録手段と
を具備する容器管理システムのラック情報読取り装置。